(57)【要約】  ミスト発生装置（１００）は、球状の第１液体と、第１液体の全体を覆い、且つ、第１液体よりも揮発性の低い第２液体とを有する機能液滴（Ｌ）を第３液体（Ｌ３）中に生成する液滴生成部（３００）と、機能液滴（Ｌ）を含む第３液体（Ｌ３）をミスト化した多層ミスト（Ｍ）を発生するミスト発生部（４００）と、を備える。
2020012954.tif 000002
【特許請求の範囲】
【請求項１】
球状の第１液体と、前記第１液体の全体を覆い、且つ、前記第１液体よりも揮発性の低い第２液体とを有する機能液滴を第３液体中に生成する液滴生成部と、
前記機能液滴を含む前記第３液体をミスト化した多層ミストを発生するミスト発生部と、を備える
ミスト発生装置。
【請求項２】
さらに、前記液滴生成部が生成した前記機能液滴を含む前記第３液体を前記ミスト発生部へ供給する供給部を備える
請求項１に記載のミスト発生装置。
【請求項３】
前記第２液体は、生体材料又は生体親和性材料である
請求項１又は２に記載のミスト発生装置。
【請求項４】
前記第１液体及び前記第２液体の一方は油性であり、他方は水性である
請求項１〜３のいずれか１項に記載のミスト発生装置。
【請求項５】
前記第３液体は、前記第２液体よりも高い揮発性を有する
請求項１〜４のいずれか１項に記載のミスト発生装置。
【請求項６】
前記機能液滴の粒径は、１０μｍ以下である
請求項１〜５のいずれか１項に記載のミスト発生装置。
【請求項７】
前記液滴生成部は、
前記第１液体が通過する第１液体流路と、前記第２液体が通過する第２液体流路と、前記第１液体流路及び前記第２液体流路と接続し、前記第２液体で第１液体の全体を覆わせるための混合流路と、前記混合流路と接続し、前記第３液体で前記第１液体及び前記第２液体の全体を覆わせるための第３液体流路と、を有するマイクロ流路チップである
請求項１〜６のいずれか１項に記載のミスト発生装置。
【請求項８】
前記ミスト発生部は、前記機能液滴を含む前記第３液体に超音波振動を印加することで前記機能液滴を含む前記第３液体をミスト化して前記多層ミストを発生する超音波振動発生装置である
請求項１〜７のいずれか１項に記載のミスト発生装置。
【請求項９】
さらに、前記多層ミストを帯電させるための帯電電極を備える
請求項１〜８のいずれか１項に記載のミスト発生装置。
【請求項１０】
前記ミスト発生部は、前記機能液滴を含む前記第３液体を吐出するノズルと、前記ノズルに対向して配置され、前記ノズルから吐出される前記機能液滴を含む前記第３液体に電圧を印加することで、前記機能液滴を含む前記第３液体をミスト化して前記多層ミストを発生させる第１電極と、を有する
請求項１〜７のいずれか１項に記載のミスト発生装置。
【発明の詳細な説明】
【技術分野】
【０００１】
本発明は、ミスト発生装置に関する。
【背景技術】
【０００２】
従来、除菌、脱臭等に用いられるミストを発生する装置として、例えば、特許文献１に開示されるミスト発生装置が知られている。特許文献１のミスト発生装置は、水の電気分解を介して殺菌効果を有するヒドロキシラジカル又は次亜塩素酸を含む電解水を生成し、生成した電解水に放電電極で高電圧を印加する静電霧化によってミスト化することで、ミスト（浮遊性機能粒子）を発生する。【０００３】
また、従来、複数の材料が複合された液滴を生成する技術がある（例えば、特許文献２参照）。【０００４】
特許文献２に開示されている製造装置は、同心状に形成された外側の管と内側の管とを有するノズルを用い、まずは外側の管から第１流動物質を流し、その後、内側の管から第２流動物質を流す。特許文献２に開示されている製造装置は、さらに、第２流動物質の流れを止めて、その後で第１流動物質の流れを止める。このような制御により、特許文献２に開示されている製造装置は、第１流動物質の周囲を第２流動物質で覆った液滴を形成する。【０００５】
特許文献２に開示されているノズルのように、同心状に形成された外側の管と内側の管とを有するノズルを用いて、液滴の周囲を当該液滴とは異なる液体で覆ったミスト（多層ミスト）を発生することで、ミストを大気中に存在できる時間を長くさせる方法が考えられる。
【先行技術文献】
【特許文献】
【０００６】
【特許文献１】特開２０１２−６５９７９号公報
【特許文献２】特開２００１−１９０９４３号公報
【発明の概要】
【発明が解決しようとする課題】
【０００７】
例えば、特許文献１に開示されているミスト発生装置によれば、直径がｎｍオーダ〜μｍオーダの微小なミストを発生することができる。しかしながら、このようなサイズのミストは、大気中で浮遊している際にすぐに気化してしまうために、大気中に存在する時間が短く、ミストを生成した位置から遠くへ当該ミストを飛ばすことが困難である。【０００８】
また、特許文献２に開示されている方法を用いて多層ミストを発生するためには、ノズルから排出させる２つの液体について、極めて精密な流量制御が必要となる。【０００９】
本発明は、簡便な構成で多層ミストを発生することができるミスト発生装置を提供する。
【課題を解決するための手段】
【００１０】
本発明の一態様に係るミスト発生装置は、球状の第１液体と、前記第１液体の全体を覆い、且つ、前記第１液体よりも揮発性の低い第２液体とを有する機能液滴を第３液体中に生成する液滴生成部と、前記機能液滴を含む前記第３液体をミスト化した多層ミストを発生するミスト発生部と、を備える。
【発明の効果】
【００１１】
本発明によれば、簡便な構成で多層ミストを発生することができるミスト発生装置を提供できる。
【図面の簡単な説明】
【００１２】
【図１】図１は、実施の形態１に係るミスト発生装置の構成を示す断面図である。
【図２】図２は、実施の形態１に係るミスト発生装置により生成された機能液滴を示す断面図である。
【図３】図３は、実施の形態１に係るミスト発生装置により発生された多層ミストの分裂の様子を示す模式図である。
【図４】図４は、実施の形態１に係るミスト発生装置が備える液滴生成部の第１例を示す模式図である。
【図５】図５は、実施の形態１に係るミスト発生装置が備える液滴生成部の第２例を示す模式図である。
【図６】図６は、実施の形態１に係るミスト発生装置が備える液滴生成部の第３例を示す模式図である。
【図７】図７は、実施の形態１に係るミスト発生装置の動作手順を示すフローチャートである。
【図８】図８は、実施の形態１の変形例１に係るミスト発生装置の構成を示す断面図である。
【図９】図９は、実施の形態１の変形例２に係るミスト発生装置の構成を示す概略斜視図である。
【図１０】図１０は、実施の形態１の変形例２に係るミスト発生装置の構成を示す部分拡大断面図である。
【図１１】図１１は、実施の形態２に係るミスト発生装置の構成を示す概略断面図である。
【図１２】図１２は、実施の形態２に係る浮遊性機能粒子の構成を示す概略断面図である。
【図１３】図１３は、実施の形態２に係るノズルを示す概略斜視図である。
【図１４】図１４は、図１３のＸＩＶ−ＸＩＶ線におけるノズルの断面を示す部分拡大断面図である。
【図１５】図１５は、実施の形態２に係るミスト発生装置が浮遊性機能粒子を発生する様子を模式的に示す概略断面図である。
【図１６】図１６は、実施の形態２に係る浮遊性機能粒子の効果を説明するための模式図である。
【図１７】図１７は、実施の形態２の変形例１に係るミスト発生装置が備えるノズルの構成を示す概略断面図である。
【図１８】図１８は、実施の形態２の変形例２に係るミスト発生装置が備えるノズルの構成を示す概略断面図である。
【図１９】図１９は、実施の形態３に係るミスト発生装置の構成を示す概略斜視図である。
【図２０】図２０は、実施の形態３に係るミスト発生装置から多層ミストが発生される様子を模式的に示す図である。
【図２１】図２１は、実施の形態３の変形例１に係るミスト発生装置の構成を示す上面図である。
【発明を実施するための形態】
【００１３】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する場合がある。
【００１５】
また、本明細書において、殺菌とは、例えば、黄色ブドウ球菌、表皮ブドウ球菌等の菌類、Ｅｓｃｈｅｒｉｃｈｉａ  ｃｏｌｉ．（大腸菌）、Ｐｓｅｕｄｏｍｏｎａｓ  ｓｐ．（緑膿菌）、Ｋｌｅｂｓｉｅｌｌａ  ｓｐ．（肺炎桿菌）等の細菌、Ｃｌａｄｏｓｐｏｒｉｕｍ．  ｓｐ．（黒カビ）、Ａｓｐｅｒｇｉｌｌｕｓ（黒コウジカビ）等のカビ類を含む真菌類、及び／又は、ノロウィルス等のウィルスを分解して菌等の全体数を減らすことを意味し、除菌又は滅菌する意味も含む。なお、上記の殺菌の対象とする菌類、細菌類、真菌、ウィルス等は一例であり、限定されるものではない。
【００１６】
（実施の形態１）
［構成］
＜概要＞
まず、図１〜図６を参照して、実施の形態１に係るミスト発生装置の構成の概要について説明する。
【００１７】
図１は、実施の形態１に係るミスト発生装置１００の構成を示す概略断面図である。なお、図１には、容器１０、噴出板２０等の構成要素の一部の断面を示し、液滴生成部３００等の一部は、断面を示していない。
【００１８】
実施の形態１に係るミスト発生装置１００は、容器１０と、液滴生成部３００と、供給部２１０と、ミスト発生部４００と、制御部７０と、を備える。また、ミスト発生部４００は、噴出板２０と、第１電極３０と、電圧印加部４０と、を有する。噴出板２０は、電極支持板２１と、ノズル２６とを有する。
【００１９】
なお、図１では、制御部７０を機能的なブロックとして表している。制御部７０は、例えば、マイコン（マイクロコントローラ）等で実現され、ミスト発生装置１００の図示しない外殻筐体の内部に配置されている。制御部７０は、例えば、容器１０の外側に取り付けられていてもよい。
【００２０】
ミスト発生装置１００は、機能液滴Ｌを含む第３液体Ｌ３をミスト化して多層ミストＭとして噴出する噴霧装置である。例えば、ミスト発生装置１００は、第３液体Ｌ３に高電圧を印加して静電気力を発生させ、発生させた静電気力によって機能液滴Ｌを含む第３液体Ｌ３を微細化しミスト化する静電霧化により、多層ミストＭを発生する装置である。例えば、機能液滴Ｌが次亜塩素酸、オゾン等の殺菌成分又は除菌成分を含む場合には、ミスト発生装置１００は、殺菌装置又は除菌装置等として利用される。なお、例えば、機能液滴Ｌが香料成分を含む場合には、ミスト発生装置１００は、香料成分を含む多層ミストＭを発生するアロマ発生器として利用される。
【００２１】
ミスト発生装置１００は、供給部２１０により、液滴生成部３００で生成された機能液滴Ｌを供給部２１０により容器１０へ供給し、供給された機能液滴Ｌを含む第３液体Ｌ３を、ミスト発生部４００でミスト化して放出する。なお、第３液体Ｌ３は、揮発性が高く、空気中に少量ずつ放出されると、しばらくした後で揮発して姿を消す（つまり、気体となる）性質が強い液体である。
【００２２】
ミスト発生部４００は、機能液滴Ｌを含む第３液体Ｌ３をミスト化する。ミスト発生部４００は、機能液滴Ｌを含む第３液体Ｌ３を、例えば図示しないポンプ等によりノズル２６の先端へ導き、ノズル２６の先端に設けられた開口２９からミスト状にした多層ミストＭを噴出する。本実施の形態では、ミスト発生部４００は、機能液滴Ｌを含む第３液体Ｌ３を吐出するノズル２６と、ノズル２６に対向して配置され、ノズル２６から吐出される機能液滴Ｌを含む第３液体Ｌ３に電圧を印加することで、機能液滴Ｌを含む第３液体Ｌ３をミスト化して多層ミストＭを発生させる第１電極３０と、を有する。
【００２３】
具体的には、ミスト発生部４００は、電圧印加部４０によって、第１電極３０と、ノズル２６との間に高電圧を印加することで電界を発生させ、ノズル２６の開口２９から、ミスト状の多層ミストＭを噴出させる。ここで、高電圧とは、例えば、グランド電位（０Ｖ）を基準とした場合に、５ｋＶ程度であるが、特に限定されない。なお、第１電極３０の電圧は、グランド電位に対して、正であってもよいし、負であってもよい。
【００２４】
ノズル２６の内部には、容器１０内の機能液滴Ｌを含む第３液体Ｌ３を開口２９へ導く流路が形成されており、当該流路を通って開口２９から出た機能液滴Ｌを含む第３液体Ｌ３は、電界によって形状が変化し、テーラーコーンを形成する。テーラーコーンの先端で機能液滴Ｌを含む第３液体Ｌ３が微細化されることで、多層ミストＭは発生される。
【００２５】
なお、図１には、ノズル２６を１つ図示しているが、噴出板２０に設けられるノズル２６の数は、特に限定されず、２つであってもよいし、３以上であってもよい。
【００２６】
ノズル２６の先端で発生された多層ミストＭは、第１電極３０に向けて放出される。多層ミストＭを第１電極３０の前方に放出させるために、第１電極３０の平板部３１には、ノズル２６の正面に対応する位置に、貫通孔３２が設けられている。これにより、多層ミストＭは、貫通孔３２を介して第１電極３０の前方に放出される。なお、「前方」とは、多層ミストＭが放出される方向であって、第１電極３０を基準としてノズル２６とは反対側の方向である。
【００２７】
また、ミスト発生部４００は、機能液滴Ｌを含む第３液体Ｌ３を帯電させる。本実施の形態では、ミスト発生部４００は、機能液滴Ｌを含む第３液体Ｌ３を静電霧化によりミスト化することで、機能液滴Ｌを含む第３液体Ｌ３のミスト化及び帯電を同時に実行する。
【００２８】
図２は、実施の形態１に係るミスト発生装置１００により生成された機能液滴Ｌを示す断面図である。
【００２９】
機能液滴Ｌは、所定の機能（効能）を発揮する液体粒子である。機能液滴Ｌは、例えば、大気に触れることで、香りを発生する機能を有する香料成分を含む液体粒子、又は、菌等の対象物と接触することで当該対象物を殺菌する機能を有する液体粒子である。
【００３０】
機能液滴Ｌは、粒状（つまり、球状）の第１液体Ｌ１と、第１液体Ｌ１の全体を覆い、且つ、第１液体Ｌ１よりも揮発性の低い膜状の第２液体Ｌ２とを有する。
【００３１】
第１液体Ｌ１は、所定の機能を発揮する液体粒子である。第１液体Ｌ１は、例えば、大気に触れることで、香りを発生する機能を有する香料成分を含む液体粒子、又は、菌等の対象物と接触することで当該対象物を殺菌する機能を有する液体粒子である。例えば、第１液体Ｌ１は、ミスト発生装置１００がアロマ発生器である場合には、香料成分を含む油性液体である。また、例えば、ミスト発生装置１００が殺菌装置である場合には、第１液体Ｌ１は、次亜塩素酸等の殺菌成分を含む水である。
【００３２】
第２液体Ｌ２は、第１液体Ｌ１の全体を覆う液体である。第２液体Ｌ２は、例えば、第１液体Ｌ１よりも低い揮発性を有する液体である。言い換えると、第２液体Ｌ２は、第１液体Ｌ１よりも揮発しにくいので、第１液体Ｌ１が空気中で気化してしまうのを遅らせる役割を担う。そのため、第２液体Ｌ２の揮発性は、第１液体Ｌ１の揮発性より低い。
【００３３】
第２液体Ｌ２は、例えば、多層ミストＭが発生された地点（つまり、ミスト発生装置１００）から所定の距離に至るまでに、徐々に揮発するか、又は、欠損することで、第１液体Ｌ１を大気に触れさせるように露出させる厚みに形成されている。具体的には、第２液体Ｌ２は、所定時間が経過した際に、言い換えると、ミスト発生装置１００で多層ミストＭが発生されてから、発生された多層ミストＭが所定距離移動した際に、揮発又は欠損することで第１液体Ｌ１を大気に触れさせるように露出させる厚みに形成されている。所定距離は、任意に定められてよい。第２液体Ｌ２の厚みは、例えば、予め任意に定められる所定時間が経過した際、言い換えると、所定距離移動した際に第２液体Ｌ２が揮発しきる程度であればよい。第２液体Ｌ２の厚みは、例えば、第１液体Ｌ１の半径程度でもよいし、第１液体Ｌ１の半径より大きくてもよいし、第１液体Ｌ１の半径より小さくてもよい。
【００３４】
また、第２液体Ｌ２を、不揮発または非常に揮発性の低い液体とし、この第２液体Ｌ２の膜厚が、空間を浮遊移動中に物体と接触することで破れる厚みを有する構造としてもよい。つまり、多層ミストＭは、空間に存在する物体と接触するまでは機能せずに浮遊し続け、空間に存在する物体と接触してはじめて第１液体Ｌ１の効能を出現させるに至る。
【００３５】
また、例えば、第１液体Ｌ１及び第２液体Ｌ２が混ざり合わないようにするために、第１液体Ｌ１及び第２液体Ｌ２の一方は油性であり、他方は水性である。また、容器１０内で機能液滴Ｌが第３液体Ｌ３に溶融されないようにするために、第２液体Ｌ２及び第３液体Ｌ３の一方は油性であり、他方は水性である。つまり、第１液体Ｌ１及び第３液体Ｌ３が水性である場合には、第２液体Ｌ２は油性であり、第１液体Ｌ１及び第３液体Ｌ３が油性である場合には、第２液体Ｌ２は水性である。
【００３６】
第２液体Ｌ２は、例えば、第１液体Ｌ１が香料成分を含む油性液体である場合には、第１液体Ｌ１より揮発性の低い水性の液体である。また、例えば、第２液体Ｌ２は、第１液体Ｌ１が次亜塩素酸等の殺菌成分を含む水である場合、油性の液体である。
【００３７】
このような構成によれば、機能液滴Ｌにおける第１液体Ｌ１と第２液体Ｌ２とは、混ざり合いにくくなる。そのため、このような構成によれば、多層ミストＭの大気中での浮遊時間をより長くすることができる。
【００３８】
また、第２液体Ｌ２は、例えば、生体材料、又は、生体親和性材料である。ここで、生体材料とは、人体中に存在する液体材料である。また、生体親和性材料とは、人工的に作製された液体材料であって、人体に取り込まれても人体の影響の低い材料である。生体材料、又は、生体親和性材料は、例えば、オレイン酸である。
【００３９】
なお、オレイン酸は、油性である。第２液体Ｌ２が水性である場合、第１液体Ｌ１及び第３液体Ｌ３の少なくとも一方は、オレイン酸でもよい。
【００４０】
第１液体Ｌ１、第２液体Ｌ２、及び、第３液体Ｌ３のいずれかの油性の液体として生体材料又は生体親和性材料が採用されることにより、多層ミストＭが例えばユーザの呼吸によって当該ユーザの体内に取り込まれても、当該ユーザに悪影響を及ぼす可能性を低減できる。
【００４１】
また、例えば、第３液体Ｌ２は、第２液体Ｌ２よりも高い揮発性を有する。また、例えば、第２液体Ｌ２は、第１液体Ｌ１より低い揮発性を有する。
【００４２】
第３液体Ｌ３を高い揮発性とすることで、空気中に多層ミストＭが存在する場合に、すぐに第３液体Ｌ３は揮発する。そのため、多層ミストＭは第３液体Ｌ３が揮発してなくなることで、軽くなる。これにより、多層ミストＭは、空気中でさらに長く浮遊できる。ここでひとつの考え方として、第３液体Ｌ３は、第１液体Ｌ１が１００ｐｐｍ以下の低濃度の次亜塩素酸を含む水の場合、第１液体Ｌ１と同じ次亜塩素酸を含む水で構成することが望ましい。第１液体Ｌ１と第３液体Ｌ３とが同じ液体であれば、第１液体Ｌ１と、第３液体Ｌ３とを例えば、液滴生成部３００に補給（供給）するための供給部を一つにまとめることができるため、器具としての構造を簡略化できる。しかし、第１液体Ｌ１が高価な液体（アロマオイル等）の場合、第３液体Ｌ３を第１液体Ｌ１とは異なる液体である安価な液体とした方が、それぞれをノズル２６に供給する供給部が別々となっても、液体材料のコストを低減することを優先した構造としたほうが望ましい。
【００４３】
また、機能液滴Ｌの外径（粒径）は、例えば、１０μｍ以下である。
【００４４】
このような構成によれば、多層ミストＭは、自重ですぐに落下することなく、且つ、大気中での浮遊時間をより長くされ得る。
【００４５】
なお、機能液滴Ｌの粒径は、５μｍ以下でもよい。また、機能液滴Ｌの粒径は、１０ｎｍ以上３μｍ以下でもよい。
【００４６】
また、例えば、多層ミストＭが含む機能液滴Ｌにおける第２液体Ｌ２の体積は、多層ミストＭに呼吸等により摂取したユーザに悪影響を与えない程度であるとよい。
【００４７】
例えば、オレイン酸は、一般社団法人日本薬品添加剤協会のホームページ（ＵＲＬ：ｈｔｔｐ：／／ｗｗｗ．ｊｐｅｃ．ｇｒ．ｊｐ／ｄｏｃｕｍｅｎｔ／ｓａｆｅｔｙ．ｈｔｍｌ）に開示されている通り、一日あたりに０．１６６８ｍｇが吸入剤としての最大投与量として設定されている。そのため、吸入量がこれ以下となるように第２液体Ｌ２の膜厚を設計することで、生体人体が居る空間中へ、第２液滴Ｌ２がオレイン酸である多層ミストＭを噴霧しても、人体への安全性が確保できるであろうと考えられている。例えば、第２液体Ｌ２が油性のオレイン酸であり、機能液滴Ｌの粒径が５μｍであり、且つ、ミスト発生装置１００が２０ｍ３の空間に多層ミストＭを１日あたり上限６時間で０．１ｍＬ／ｈで噴霧する場合、機能液滴Ｌにおける第２液体Ｌ２の膜厚は、１０ｎｍ程度とする。こうすることで、多層ミストＭが人体に悪影響を与えることは、抑制され得る。機能液滴Ｌにおける第２液体Ｌ２の膜厚は、例えば、後述する液滴生成部３００、３００ａ、３００ｂのサイズ、形状、並びに、第１液体Ｌ１、第２液体Ｌ２、及び、第３液体Ｌ３が後述する液滴生成部３００、３００ａ、３００ｂが有する流路を流れる流量等によって制御される。
【００４８】
図３は、実施の形態１に係るミスト発生装置１００により発生された多層ミストＭの分裂の様子を示す模式図である。
【００４９】
多層ミストＭは、機能液滴Ｌを１以上含む第３液体Ｌ３の液体粒子の集合である。多層ミストＭは、例えば、１００μｍ以下の直径の微細な液体粒子の集合である。
【００５０】
図３の（ａ）に示すように、多層ミストＭは、機能液滴Ｌ及び電荷Ｅを含む液滴として、図１に示すノズル２６から静電霧化により放出される。
【００５１】
なお、図３の（ａ）には、機能液滴Ｌを３つ含む場合について例示しているが、多層ミストＭが含む機能液滴Ｌの数は、任意でよい。また、図３の（ａ）及び（ｂ）には、電荷Ｅの一例として、マイナスである場合を例示しているが、プラスでもよい。電荷Ｅの極性は、第１電極３０に印加される電圧がプラスかマイナスかにより決定される。
【００５２】
次に、図３の（ｂ）に示すように、図３の（ａ）に示す多層ミストＭで電荷Ｅによるレイリー分裂が生じ、多層ミストＭが分裂して複数の多層ミストＭ１が生成される。
【００５３】
次に、図３の（ｃ）に示すように、図３の（ｂ）に示す多層ミストＭ１中の第３液体Ｌ３が揮発することで、機能液滴Ｌが大気中に露出された複数の多層ミストＭ２が生成される。
【００５４】
このように、ノズル２６から放出された多層ミストＭは、放出された直後は粒径が数１０μｍオーダであるものの、すぐに分裂し、さらに、第３液体Ｌ３が揮発することで、粒径が１０μｍ以下の機能液滴Ｌのみからなる多層ミストＭ２となる。そのため、第３液体Ｌ３は、揮発性を有する。第３液体Ｌ３は、大気中ですぐに揮発する性質であるとよい。第３液体Ｌ３は、例えば、第２液体Ｌ２より、揮発性が高い。また、第３液体Ｌ３は、例えば、第１液体Ｌ１より揮発性が高い。
【００５５】
多層ミストＭは、以下では主に、第１液体Ｌ１を球状のコア形態としてその表面の全面を第２液体Ｌ２で覆った多層ミストＭとして表現しているが、これに限らない。例えば、多層ミストＭは、第２液体Ｌ２の表面の全面を第４液体（不図示）で覆い、さらに第４液体の表面の全面を当該第４液体とは異なる第５液体（不図示）で覆う、というように、多層の機能液滴Ｌを形成して第３液体Ｌ３に浸し、多層ミストＭとして空気中へ放出するようにしてもよい。このとき、第１液体Ｌ１が油性であれば、混合を避けるため、その隣の層である第２液体Ｌ２は水性であることが望ましく、やはり混合を避けるため、第２液体Ｌ２の隣の層である第４液体（不図示）は油性であることが望ましく、このときは、第３液体Ｌ３は水性であることが望ましい。その逆に、第１液体Ｌ１が水性であれば、混合を避けるため、その隣の層である第２液体Ｌ２は油性であることが望ましく、やはり混合を避けるため、第２液体Ｌ２の隣の層である第４液体（不図示）は水性であることが望ましく、このときは、第３液体Ｌ３は油性であることが望ましい。このように、所定重量を超えない限りは、第ｎ層（ｎは自然数）まで当該思想を拡張していくことが可能である。そして、この思想は、電荷Ｅを帯びているか帯びていないかにはかかわらない。
【００５６】
以下では、ミスト発生装置１００が備える各構成要素の詳細について説明する。
【００５７】
＜容器＞
容器１０は、第３液体Ｌ３を収容する容器である。第３液体Ｌ３は、例えば、第２液体Ｌ２が油性液体である場合には、水性の液体である。また、例えば、第３液体Ｌ３は、第２液体Ｌ２が次亜塩素酸等の殺菌成分を含む水である場合、油性の液体である。
【００５８】
容器１０は、例えば、ステンレス等の金属材料を用いて形成されているが、樹脂材料を用いて形成されていてもよい。また、容器１０は、耐酸性若しくは耐アルカリ性又はこれらの両方の性質を有する材料を用いて形成されていてもよい。
【００５９】
容器１０の形状は、例えば、上面が開放された円柱状であるが、これに限らない。容器１０の形状は、立方体又は直方体状でもよく、扁平なトレイ状でもよい。容器１０の開放された上面は、噴出板２０によって覆われている。
【００６０】
＜噴出板＞
噴出板２０は、機能液滴Ｌを含む第３液体Ｌ３を噴出させるための開口２９を有する。具体的には、噴出板２０は、平板状の電極支持板２１と、ノズル２６とを備える。開口２９は、ノズル２６の先端に設けられている。
【００６１】
電極支持板２１は、ノズル２６を支持する板状の部材である。電極支持板２１は、例えば樹脂材料を用いて形成されているが、金属材料を用いて形成されていてもよい。このとき、電極支持板２１は、耐酸性若しくは耐アルカリ性又はこれらの両方の性質を有する材料を用いて形成されていてもよい。
【００６２】
電極支持板２１には、ノズル２６が圧入されることで固定されている。例えば、電極支持板２１には、開口２９を設けるべき位置に貫通孔が設けられ、当該貫通孔にノズル２６が挿入されて固定されている。電極支持板２１は、板厚が均一な平板であるが、これに限らず、湾曲板であってもよい。
【００６３】
電極支持板２１は、容器１０に固定されている。なお、電極支持板２１は、容器１０と同一の材料を用いて、容器１０と一体に形成されていてもよい。
【００６４】
ノズル２６は、機能液滴Ｌを含む第３液体Ｌ３を容器１０の外部へ放出するノズルである。具体的には、ノズル２６は、電極支持板２１に支持されており、容器１０に収容されている機能液滴Ｌを含む第３液体Ｌ３を容器１０の外部へ放出する。ノズル２６は、電極支持板２１から第１電極３０に向かって突出している。ノズル２６は、先端に開口２９を有する。また、ノズル２６は、後端（つまり、容器１０側）に開口を有し、かつ、当該開口から開口２９に至る流路を有する。
【００６５】
ノズル２６の形状は、例えば、内径及び外径が均一な円筒状である。内径は、流路の径であり、例えば０．３ｍｍであるが、これに限らない。また、外径は、例えば０．５ｍｍであるが、これに限らない。例えば、外径は、０．５ｍｍ以上１．５ｍｍ以下の範囲でもよい。また、ノズル２６内に形成される流路の形状は、例えば、流路面積が均一の円柱状である。
【００６６】
なお、ノズル２６の内径及び外径の少なくとも一方は、後端から先端に向かって漸次小さくなってもよい。例えば、後端側の開口より先端側の開口２９が小さくてもよく、これら開口を繋ぐ流路の形状は、円錐台状であってもよい。
【００６７】
ノズル２６の後端は、容器１０に収容されている第３液体Ｌ３に接触する位置に位置している。具体的には、ノズル２６の後端は、容器１０の内部に位置している。これにより、第３液体Ｌ３は、ノズル２６の後端側の開口からノズル２６内の流路を通って先端側の開口２９まで導かれる。
【００６８】
ノズル２６は、電極支持板２１の主面（具体的には、第１電極３０側の面）に対して垂直に立設されている。主面は、電極支持板２１の第１電極３０に対向する面であり、容器１０とは反対側の面である。ノズル２６は、外径に対する高さの比（以下、アスペクト比と記載する）が４以上であるとよい。ここで、ノズル２６の高さは、ノズル２６の先端から主面までの距離で表される。当該高さは、例えば２ｍｍ以上である。ノズル２６のアスペクト比が大きい程、ノズル２６の先端に電界が集中しやすくなる。このため、ノズル２６のアスペクト比は、例えば、６以上でもよい。
【００６９】
ノズル２６の材料は、特に限定されないが、例えば、導電性を有するステンレス等の金属材料を用いて形成されていてもよい。また、ノズル２６は、耐酸性若しくは耐アルカリ性又はこれらの両方の性質を有する材料を用いて形成されていてもよい。また、ノズル２６は、絶縁性を有する樹脂等の材料によって形成されていてもよい。
【００７０】
例えば、ノズル２６に導電性を有する材料を採用することで、ノズル２６を第１電極３０と対となる電極（第２電極）とすることができる。本実施の形態では、ノズル２６は、第１電極３０と対となり、ノズル２６から吐出される第３液体Ｌ３に電圧を印加させることで、多層ミストＭを発生させる。
【００７１】
なお、例えば、ミスト発生装置１００は、第１電極３０と対となる第２電極として、容器１０に収容された電極を備えてもよい。この場合、電圧印加部４０は、第１電極３０及び第２電極と電気的に接続される。また、この場合、ノズル２６は、絶縁性を有する樹脂等の材料によって形成されていてもよい。
【００７２】
また、図１には、ノズル２６を１つ図示しているが、噴出板２０に設けられるノズル２６の数は、特に限定されず、２つであってもよいし、３以上であってもよい。この場合、第１電極３０には、複数のノズル２６に対応する位置にそれぞれ貫通孔３２が形成されているとよい。
【００７３】
＜第１電極＞
第１電極３０は、容器１０の外部であって、開口２９に対して貫通孔３２が向かい合って配置されている対向電極である。具体的には、第１電極３０は、容器１０の外部で、第１電極３０と対となるノズル２６に対向して配置されている。第１電極３０は、ノズル２６との間に電圧が印加されることで、ノズル２６の先端から機能液滴Ｌを含む第３液体Ｌ３を放出させてミスト化する。第１電極３０は、例えば、噴出板２０の電極支持板２１と平行になるように配置されている。具体的には、第１電極３０の後面は、電極支持板２１の主面と平行である。
【００７４】
第１電極３０は、導電性を有し、例えば、ステンレス等の金属材料を用いて形成されている。第１電極３０は、耐酸性若しくは耐アルカリ性又はこれらの両方の性質を有する材料を用いて形成されていてもよい。
【００７５】
第１電極３０は、平板部３１と、貫通孔３２とを有する。平板部３１は、導電性を有し、電圧印加部４０と電気的に接続されている。平板部３１は、板厚が略均一である。また、ノズル２６は、導電性を有し、電圧印加部４０と電気的に接続されている。
【００７６】
貫通孔３２は、平板部３１を板厚方向（すなわち、前後方向）に貫通している。また、貫通孔３２は、開口２９から噴出されるミスト化した機能液滴Ｌを含む第３液体Ｌ３、すなわち、多層ミストＭを通過させるために設けられている。貫通孔３２の形状は、扁平な円柱状である。なお、貫通孔３２の開口の形状は、円形でなくてもよく、正方形、長方形、又は、楕円形等でもよい。
【００７７】
貫通孔３２の開口径は、特に限定されないが、例えば、１ｍｍ以上２．２５ｍｍ以下の範囲である。また、例えば、貫通孔３２の開口径は、ノズル２６の外径の５倍以上１０倍以下となるように形成されていてもよい。多層ミストＭは、テーラーコーンの先端から円錐状に広がって放出される。このため、貫通孔３２の開口径が大きい程、多層ミストＭを通過させやすくなる。
【００７８】
＜電圧印加部＞
電圧印加部４０は、第３液体Ｌ３と第１電極３０との間に所定の電圧を印加する。具体的には、電圧印加部４０は、第１電極３０とノズル２６とに接続されており、第１電極３０とノズル２６とに所定の電位差がつくように電位を印加する。例えば、ノズル２６が接地されており、第３液体Ｌ３にグランド電位を与える。電圧印加部４０は、第１電極３０に電位を与えることで、第１電極３０と第３液体Ｌ３との間に所定の電圧を印加する。なお、電圧印加部４０は、第１電極３０に正の電圧を印加してもよいし、負の電圧を印加してもよい。
【００７９】
電圧印加部４０が印加する所定の電圧は、例えば、３．５ｋＶ以上１０ｋＶ以下の直流電圧である。或いは、所定の電圧は、４．５ｋＶ以上８．５ｋＶ以下であってもよい。なお、所定の電圧は、パルス電圧、脈流電圧、又は、交流電圧でもよい。
【００８０】
電圧印加部４０は、具体的には、コンバータ等を含む電源回路で実現される。例えば、電圧印加部４０は、商用電源等の外部電源から受けた電力に基づいて所定の電圧を生成して、生成した電圧を第１電極３０とノズル２６の間に印加することで、第３液体Ｌ３に電圧を印加する。
【００８１】
＜供給部＞
供給部２１０は、液滴生成部３００で生成された機能液滴Ｌを容器１０に収容されている第３液体Ｌ３中に供給する。具体的には、供給部２１０は、液滴生成部３００で生成された機能液滴Ｌを含む第３液体Ｌ３をミスト発生部４００に供給する。供給部２１０は、例えば、ポンプであり、液滴生成部３００と容器１０との内部が接続された配管を介して、液滴生成部３００から容器１０に収容されている第３液体Ｌ３中へ機能液滴Ｌを供給する。なお、供給部２１０は、容器１０へ機能液滴Ｌを供給できればよく、例えば、電磁弁等を備えてもよい。
【００８２】
＜制御部＞
制御部７０は、ミスト発生装置１００の全体的な動作を制御する制御装置である。具体的には、制御部７０は、電圧印加部４０及び供給部２１０の動作を制御する。例えば、制御部７０は、電圧印加部４０を制御することで、第１電極３０とノズル２６とに電圧を印加するタイミング、及び、電圧の大きさ等を制御する。
【００８３】
制御部７０は、例えば、マイクロコントローラ等で実現される。具体的には、制御部７０は、プログラムが格納された不揮発性メモリ、プログラムを実行するための一時的な記憶領域である揮発性メモリ、入出力ポート、プログラムを実行するプロセッサ等で実現される。制御部７０は、各動作を実行する専用の電子回路で実現されてもよい。
【００８４】
なお、制御部７０は、電圧印加部４０及び供給部２１０を制御することができればよく、無線信号を送信することで電圧印加部４０及び供給部２１０を制御してもよいし、電圧印加部４０及び供給部２１０と制御線等により接続されていてもよい。
【００８５】
＜液滴生成部＞
続いて、図４〜図６を参照して、実施の形態１に係るミスト発生装置１００が備える液滴生成部の具体的な構成について説明する。
【００８６】
なお、図４〜図６には、液滴生成部において機能液滴Ｌを生成する部分を拡大して示しており、第１液体Ｌ１、第２液体Ｌ２、及び、第３液体Ｌ３を、機能液滴Ｌを生成する部分に供給する供給部の図示を省略している。また、図４及び図５では、各構成要素について、断面を示すものではないがハッチングを付して図示している。
【００８７】
図４は、実施の形態１に係るミスト発生装置１００が備える液滴生成部の第１例を示す模式図である。
【００８８】
ミスト発生装置１００が備える液滴生成部は、球状の第１液体Ｌ１と、第１液体Ｌ１の全体を覆い、且つ、第１液体Ｌ１よりも揮発性の低い第２液体Ｌ２とを有する機能液滴Ｌを第３液体Ｌ３中に生成する装置である。
【００８９】
第１例の液滴生成部３００は、μｍオーダの流路を有するマイクロ流体デバイスであるマイクロ流路チップ３０１と、マイクロ流路チップ３０１に第１液体Ｌ１、第２液体Ｌ２、及び、第３液体Ｌ３を供給する図示しない供給部とを備える。図４には、マイクロ流路チップ３０１の部分拡大図を示している。
【００９０】
マイクロ流路チップ３０１は、第１液体Ｌ１、第２液体Ｌ２、及び、第３液体Ｌ３が通過する流路が形成された板体である。マイクロ流路チップ３０１は、Ｔ字状、Ｘ字状、及び／又は、Ｙ字状に分岐している流路を有する。本実施の形態では、マイクロ流路チップ３０１は、第１液体Ｌ１が通過する第１液体流路３１１と、第２液体Ｌ２が通過する第２液体流路３２１と、第１液体流路３１１及び第２液体流路３２１と接続し、第２液体Ｌ２で第１液体Ｌ１の全体を覆わせるための混合流路３２２と、混合流路３２２と接続し、第３液体Ｌ３で第１液体Ｌ１及び第２液体Ｌ２の全体を覆わせるための第３液体流路３３１と、を有する。
【００９１】
マイクロ流路チップ３０１は、例えば、ガラス材料、又は、樹脂材料、金属、シリコン等の無機材料等を含んで構成される。
【００９２】
例えば、第１液体Ｌ１は、第１液体流路３１１に導入される。具体的には、第１液体Ｌ１は、矢印Ａ１の方向へ向かうようにマイクロ流路チップ３０１内に導入される。
【００９３】
また、第２液体Ｌ２は、第２液体流路３２１に導入される。具体的には、第２液体Ｌ２は、矢印Ａ２の方向へ向かうように、マイクロ流路チップ３０１内に導入される。第２液体Ｌ２が進行する方向である矢印Ａ２の向きが、第２液体Ｌ２が進行する方向である矢印Ａ２の向きと直交しているため、第１液体Ｌ１及び第２液体Ｌ２それぞれのマイクロ流路チップ３０１に流入させる量を好適に制御することで、第１液体Ｌ１は、個々に分断されて球状の液体粒子となる。このように、第２液体Ｌ２は、第１液体流路３１１及び第２液体流路３２１の交点（接続点）で、第１液体Ｌ１が球状となるように第１液体Ｌ１を覆って、混合流路３２２を流れる。
【００９４】
さらに、第３液体Ｌ３は、第３液体流路３３１に導入される。具体的には、第３液体Ｌ３は、矢印Ａ３の方向へ向かうようにマイクロ流路チップ３０１内に導入される。第２液体Ｌ２及び球形の第１液体Ｌ１が進行する方向である矢印Ａ２の向きが、第３液体Ｌ３が進行する方向である矢印Ａ３の向きと直交しているため、第２液体Ｌ２及び第３液体Ｌ３それぞれのマイクロ流路チップ３０１に流入させる量を好適に制御することで、第２液体Ｌ２は、個々に分断されて球状の第１液体Ｌ１を内包した球状の液体粒子となる。このように形成された球状の第１液体Ｌ１を内包した球状の第２液体Ｌ２が、機能液滴Ｌである。言い換えると、第３液体Ｌ３は、混合流路３２２及び第３液体流路３３１の交点（接続点）で、第１液体Ｌ１を覆った第２液体Ｌ２が球状となるように第２液体Ｌ２を覆う。このように、マイクロ流路チップ３０１では、第３液体Ｌ３に覆われた機能液滴Ｌが生成される。
【００９５】
機能液滴Ｌは、矢印Ａ４の方向に進行し、例えば、供給部２１０によって容器１０内の第３液体Ｌ３中に供給される。
【００９６】
このように、液滴生成部３００の第１例は、第１液体Ｌ１が通過する第１液体流路３１１と、第２液体Ｌ２が通過する第２液体流路３２１と、第１液体流路３１１及び第２液体流路３２１と接続し、第２液体Ｌ２で第１液体Ｌ１の全体を覆わせるための混合流路３２２と、混合流路３２２と接続し、第３液体Ｌ３で第１液体Ｌ１及び第２液体Ｌ２の全体を覆わせるための第３液体流路３３１と、を有するマイクロ流路チップ３０１である。
【００９７】
このような構成によれば、第３液体Ｌ３に含まれる機能液滴Ｌを簡便な構成で生成することができる。
【００９８】
図５は、実施の形態１に係るミスト発生装置１００が備える液滴生成部の第２例を示す模式図である。
【００９９】
液滴生成部３００ａは、マイクロ流路チップ３０１ａと、マイクロ流路チップ３０１ａに第１液体Ｌ１、第２液体Ｌ２、及び、第３液体Ｌ３を供給する図示しない供給部とを備える。図５には、マイクロ流路チップ３０１ａの部分拡大図を示している。
【０１００】
マイクロ流路チップ３０１ａは、第１液体Ｌ１、第２液体Ｌ２、及び、第３液体Ｌ３が通過する流路が形成された板体である。マイクロ流路チップ３０１ａは、例えば、ガラス材料、又は、樹脂材料等により構成される。
【０１０１】
第１液体Ｌ１は、矢印Ａ５の方向へ向かうようにマイクロ流路チップ３０１ａ内の第１液体流路３１１ａに導入される。
【０１０２】
また、第２液体Ｌ２は、矢印Ａ６の方向へ向かうように、マイクロ流路チップ３０１ａ内の第２液体流路３２１ａに導入される。また、第２液体Ｌ２は、矢印Ａ７の方向へ向かうように、マイクロ流路チップ３０１ａ内の第２液体流路３２１ｂに導入される。矢印Ａ６及び矢印Ａ７は、例えば、一直線状であり、互いに平行な方向であり、且つ、互いに逆向きである。
【０１０３】
これにより、第２液体Ｌ２は、マイクロ流路チップ３０１ａ内の混合流路３２２ａで第１液体Ｌ１を覆うように配置される。
【０１０４】
さらに、第３液体Ｌ３は、矢印Ａ８の方向へ向かうようにマイクロ流路チップ３０１ａ内の第３液体流路３３１ａに導入される。
【０１０５】
また、第３液体Ｌ３は、矢印Ａ９の方向へ向かうようにマイクロ流路チップ３０１ａ内の第３液体流路３３１ｂに導入される。矢印Ａ８及び矢印Ａ９は、例えば、一直線状であり、互いに平行な方向であり、且つ、互いに逆向きである。
【０１０６】
これにより、第３液体Ｌ３は、第１液体Ｌ１と第１液体Ｌ１を覆う第２液体Ｌ２とを個々に分断して、球形の機能液滴Ｌを生成する。
【０１０７】
機能液滴Ｌは、矢印Ａ１０の方向に進行し、例えば、供給部２１０によって容器１０内の第３液体Ｌ３中に供給される。
【０１０８】
図６は、実施の形態１に係るミスト発生装置１００が備える液滴生成部の第３例を示す模式図である。
【０１０９】
液滴生成部３００ｂは、複合ノズル３０１ｂと、複合ノズル３０１ｂに第１液体Ｌ１、第２液体Ｌ２、及び、第３液体Ｌ３を供給する図示しない供給部とを備える。図６には、複合ノズル３０１ｂの部分拡大断面図を示している。
【０１１０】
複合ノズル３０１ｂは、第１液体Ｌ１、第２液体Ｌ２、及び、第３液体Ｌ３が通過する流路が形成された筒状のノズルである。複合ノズル３０１ｂ、例えば、金属材料、ガラス材料、又は、樹脂材料等により構成される。
【０１１１】
複合ノズル３０１ｂは、例えば、第１液体Ｌ１が導入されるノズルと、複合ノズル３０１ｂ内で生成された機能液滴Ｌが排出されるノズルと、これらノズルを覆うように繋ぐノズルとから構成される。
【０１１２】
第１液体Ｌ１は、第１液体流路３１１ｂから矢印Ａ１１の方向へ向かうように複合ノズル３０１ｂ内に導入される。
【０１１３】
また、第２液体Ｌ２は、複合ノズル３０１ｂ内に予め収容されている。
【０１１４】
第１液体Ｌ１は、第１液体流路３１１ｂから矢印Ａ１１の方向へ向かうように複合ノズル３０１ｂ内に好適な量が導入されることで、第２液体Ｌ２に覆われた球状の液体粒子となる。
【０１１５】
また、第３液体Ｌ３は、機能液滴Ｌが排出される方向である矢印Ａ１４と平行な方向であって、且つ、逆向きの方向である矢印Ａ１２及び矢印Ａ１３に向かうように複合ノズル３０１ｂ内の第３液体流路３３１ｃ、３３１ｄから導入される。
【０１１６】
これにより、第３液体Ｌ３は、第１液体Ｌ１を覆う第２液体Ｌ２を個々に分断して、球形の機能液滴Ｌを生成し、機能液滴Ｌとともに矢印Ａ１４の方向へ移動され、例えば、供給部２１０によって容器１０内の第３液体Ｌ３中に供給される。
【０１１７】
なお、例えば、マイクロ流路チップ３０１における、第１液体流路３１１、第２液体流路３２１、混合流路３２２、及び、第３液体流路３３１は、第１液体Ｌ１、第２液体Ｌ２、及び、第３液体Ｌ３が水性であるか油性であるかによって、濡れ性が異なっていてもよい。
【０１１８】
例えば、第１液体Ｌ１が水性である場合、第１液体Ｌ１が通過する第１液体流路３１１の濡れ性は、油性（油相）に対する濡れ性よりも、水性（水相）に対する濡れ性が高い。
【０１１９】
また、例えば、第２液体Ｌ２が油性である場合、第２液体Ｌ２が通過する第２液体流路３２１及び混合流路３２２の濡れ性は、水性に対する濡れ性よりも、油性に対する濡れ性が高い。
【０１２０】
また、例えば、第３液体Ｌ３が水性である場合、第３液体Ｌ３が通過する第３液体流路３３１の濡れ性は、油性に対する濡れ性よりも、水性に対する濡れ性が高い。
【０１２１】
こうすることで、第１液体Ｌ１、第２液体Ｌ２、及び、第３液体Ｌ３は、第１液体Ｌ１、第２液体Ｌ２、及び、第３液体Ｌ３が通過する流路で流れやすくなる。また、こうすることで、例えば、第２液体Ｌ２は、第１液体流路３１１及び第２液体流路３２１の交点で、第１液体Ｌ１が球状となるように第１液体Ｌ１を覆いやすくなる。また、こうすることで、第３液体Ｌ３は、混合流路３２２及び第３液体流路３３１の交点（接続点）で、第１液体Ｌ１を覆った第２液体Ｌ２が球状となるように第２液体Ｌ２を覆いやすくなる。
【０１２２】
なお、流路の濡れ性は、マイクロ流路チップ３０１に採用される材料、流路の内表面の形状等によって調整される。図４には、１つのマイクロ流路チップからなるマイクロ流路チップ３０１を示しているが、マイクロ流路チップ３０１は、濡れ性の異なる流路を有する複数のマイクロ流路チップであってもよい。
【０１２３】
上記した流路の濡れ性は、液滴生成部３００ａ、３００ｂが備える流路の濡れ性についても同様である。
【０１２４】
［動作］
続いて、図７を参照して、実施の形態１に係るミスト発生装置１００の動作について説明する。
【０１２５】
まず、液滴生成部３００は、機能液滴Ｌを生成する第１ステップを実行する（ステップＳ１０１）。
【０１２６】
次に、供給部２１０は、液滴生成部３００が生成した機能液滴Ｌを、容器１０に収容されている第３液体Ｌ３中に供給する第２ステップを実行する（ステップＳ１０２）。
【０１２７】
次に、ミスト発生部４００は、機能液滴Ｌを含む第３液体Ｌ３をミスト化する第３ステップを実行する（ステップＳ１０３）。
【０１２８】
また、ミスト発生部４００は、ミスト化した機能液滴Ｌを含む第３液体Ｌ３を帯電させる第４ステップを実行する（ステップＳ１０４）。なお、本実施の形態においては、ミスト発生部４００は、機能液滴Ｌを含む第３液体Ｌ３を静電霧化によりミスト化しているために、ミスト化する際に第３液体Ｌ３を帯電させている。つまり、本実施の形態においては、ステップＳ１０３及びステップＳ１０４は、ミスト発生部４００が実行する静電霧化によって同時に実行されている。
【０１２９】
［効果等］
以上のように、実施の形態１に係るミスト発生方法は、球状の第１液体Ｌ１と、第１液体Ｌ１の全体を覆い、且つ、第１液体Ｌ１よりも揮発性の低い第２液体Ｌ２とを有する機能液滴Ｌを生成する第１ステップと、機能液滴Ｌを第３液体Ｌ３中に供給する第２ステップと、機能液滴Ｌを含む第３液体Ｌ３をミスト化する第３ステップと、を含む。
【０１３０】
このような方法によれば、従来のように液体をミスト化する際に、ミストを発生するノズルでミストを当該ミストとは異なる液体で覆うように、第１液体Ｌ１を第２液体Ｌ２で覆った機能液滴Ｌをミスト化することができる。これにより、実施の形態１に係るミスト発生方法によれば、従来のようにノズルから放出させる液体の精密な流量制御が不要となるため、従来より簡便な方法で多層ミストＭを発生することができる。
【０１３１】
また、例えば、実施の形態１に係るミスト発生方法は、機能液滴Ｌを含む第３液体Ｌ３を帯電させる第４ステップを含む。
【０１３２】
このような方法によれば、多層ミストＭは、レイリー分裂によって複数の多層ミストＭ１に分裂する。多層ミストＭが分裂した複数の多層ミストＭ１の方が、分裂前の多層ミストＭよりも、第３液体Ｌ３が外気に接触する面積が広くなる。そのため、多層ミストＭが分裂した複数の多層ミストＭ１の方が、分裂前の多層ミストＭよりも、第３液体Ｌ３が気化しやすい。これにより、第３液体Ｌ３を含まない機能液滴Ｌからなる多層ミストＭ２をより早く大気中に放出できる。
【０１３３】
また、例えば、実施の形態１に係るミスト発生方法は、機能液滴Ｌを含む第３液体Ｌ３を静電霧化によりミスト化することで、上記第３ステップ及び上記第４ステップを同時に実行する。
【０１３４】
このような方法によれば、機能液滴Ｌを含む第３液体Ｌ３のミスト化と帯電とをミスト発生部４００によって同じタイミングで実行できる。そのため、このような方法によれば、機能液滴Ｌを含む第３液体Ｌ３を簡便に帯電させることができる。
【０１３５】
また、例えば、第３液体Ｌ３は、第２液体Ｌ２より高い揮発性を有する。
【０１３６】
これによれば、多層ミストＭに含まれる第３液体Ｌ３は、すぐに気化することとなる。そのため、このような方法によれば、第３液体Ｌ３を含まない機能液滴Ｌからなる多層ミストＭ２をすぐに大気中に放出できる。
【０１３７】
また、実施の形態１に係るミスト発生装置１００は、球状の第１液体Ｌ１と、第１液体Ｌ１の全体を覆い、且つ、第１液体Ｌ１よりも揮発性の低い第２液体Ｌ２とを有する機能液滴Ｌを第３液体Ｌ３中に生成する液滴生成部３００と、機能液滴Ｌを含む第３液体Ｌ３をミスト化するミスト発生部４００と、を備える。また、本実施の形態では、ミスト発生装置１００は、さらに、液滴生成部３００で生成された機能液滴Ｌを含む第３液体Ｌ３をミスト発生部４００に供給する供給部２１０を備える。
【０１３８】
このような構成によれば、従来のように液体をミスト化する際に、ミストを発生するノズルでミストを当該ミストとは異なる液体で覆うような、精密な制御をすることなく、第１液体Ｌ１を第２液体Ｌ２で覆った機能液滴Ｌをミスト化することができる。これにより、ミスト発生装置１００によれば、従来より簡便に多層ミストＭを発生することができる。
【０１３９】
また、ミスト発生装置１００によれば、供給部２１０を備えることにより、液滴生成部３００とミスト発生部４００とを離れた位置に配置できる。そのため、ミスト発生装置１００の利便性は、向上され得る。
【０１４０】
（変形例１）
図８は、実施の形態１の変形例１に係るミスト発生装置１００ａの構成を示す断面図である。
【０１４１】
なお、図８において、実施の形態１の変形例１に係るミスト発生装置１００ａと、実施の形態１に係るミスト発生装置１００とで実質的に同様の構成については同様の符号を付し、説明を簡略又は省略する。
【０１４２】
実施の形態１の変形例に係るミスト発生装置１００ａは、超音波振動によって第３液体Ｌ３をミスト化させる点が、実施の形態１に係るミスト発生装置１００と異なる。
【０１４３】
ミスト発生装置１００ａは、容器１０と、供給部２１０と、液滴生成部３００と、ミスト発生部４０１と、帯電電極３０ａと、電圧印加部４０ａと、制御部７１と、を備える。
【０１４４】
ミスト発生部４０１は、容器１０に収容されている機能液滴Ｌを含む第３液体Ｌ３に超音波振動を印加するための超音波発生装置である。ミスト発生部４０１は、例えば、容器１０内に収容されている第３液体Ｌ３と接触する位置に配置されている。ミスト発生部４０１は、例えば、超音波振動子である。なお、ミスト発生部４０１は、容器１０内に収容されている第３液体Ｌ３に超音波振動を印加することができればよく、例えば、容器１０の外部に配置され、容器１０に超音波振動を印加することにより、容器１０内に収容されている第３液体Ｌ３に超音波振動を印加してもよい。
【０１４５】
帯電電極３０ａは、多層ミストＭを帯電させるための電極である。帯電電極３０ａは、例えば、環状のリング電極であり、リング電極の内側を通過する多層ミストＭを帯電させることで、電荷Ｅを含む多層ミストＭを発生させる。
【０１４６】
このように、ミスト発生装置１００ａは、多層ミストＭを発生するミスト発生部４０１と、多層ミストＭを帯電させる帯電電極３０ａを有する帯電部とを有する。ミスト発生装置１００ａは、機能液滴Ｌを含む第３液体Ｌ３をミスト化することで電荷Ｅを含まない多層ミストＭを発生させた後に、帯電電極３０ａにより多層ミストＭを帯電させることで、電荷Ｅを含む多層ミストＭを発生する。
【０１４７】
電圧印加部４０ａは、帯電電極３０ａに接続されており、帯電電極３０ａに所定の電圧を印加する。電圧印加部４０ａは、帯電電極３０ａに電位を与えることで、帯電電極３０ａの周囲を通過する多層ミストＭを帯電させる。なお、図８においては、電圧印加部４０ａは、帯電電極３０ａに負の電圧を印加しているが、電圧印加部４０ａは、帯電電極３０ａに正の電圧を印加してもよい。
【０１４８】
なお、電圧印加部４０ａが印加する所定の電圧は、パルス電圧、脈流電圧、又は、交流電圧でもよい。
【０１４９】
電圧印加部４０ａは、例えば、コンバータ等を含む電源回路で実現される。例えば、電圧印加部４０ａは、商用電源等の外部電源から受けた電力に基づいて所定の電圧を生成して、生成した電圧を帯電電極３０ａに印加する。
【０１５０】
制御部７１は、ミスト発生装置１００ａの全体的な動作を制御する制御装置である。具体的には、制御部７１は、電圧印加部４０ａ、供給部２１０、及び、ミスト発生部４０１の動作を制御する。例えば、制御部７１は、ミスト発生部４０１を制御することで、容器１０に収容されている第３液体Ｌ３に超音波振動を印加して多層ミストＭを発生させるタイミングを制御する。
【０１５１】
制御部７１は、例えば、マイクロコントローラ等で実現される。具体的には、制御部７１は、プログラムが格納された不揮発性メモリ、プログラムを実行するための一時的な記憶領域である揮発性メモリ、入出力ポート、プログラムを実行するプロセッサ等で実現される。制御部７１は、各動作を実行する専用の電子回路で実現されてもよい。
【０１５２】
なお、制御部７１は、電圧印加部４０ａ、供給部２１０、及び、ミスト発生部４０１を制御することができればよく、無線信号を送信することで電圧印加部４０ａ、供給部２１０、及び、ミスト発生部４０１を制御してもよいし、電圧印加部４０ａ、供給部２１０、及びミスト発生部４０１と制御線等により接続されていてもよい。
【０１５３】
以上のように、実施の形態１の変形例１に係るミスト発生方法は、実施の形態１に係るミスト発生方法とは異なり、ミスト化した機能液滴Ｌを含む第３液体Ｌ３を帯電させる。つまり、実施の形態１の変形例１に係るミスト発生方法は、ミスト発生部４０１で発生させた多層ミストを帯電させることで、電荷Ｅを含む多層ミストＭを発生する。言い換えると、実施の形態１の変形例に係るミスト発生方法は、図７に示すステップＳ１０４の後に、図７に示すステップＳ１０３を実行する。
【０１５４】
また、実施の形態１の変形例１に係るミスト発生装置１００ａが備えるミスト発生部４０１は、機能液滴Ｌを含む第３液体Ｌ３に超音波振動を印加することで第３液体Ｌ３をミスト化して多層ミストＭを発生する超音波振動発生装置である。また、ミスト発生装置１００ａは、さらに、多層ミストＭを帯電させるための帯電電極３０ａを備える。
【０１５５】
このような構成によれば、機能液滴Ｌを含む第３液体Ｌ３のミスト化と帯電とを個別に実行できるため、多層ミストＭの発生量と、多層ミストＭに帯電させる電荷量とを個別に制御できる。そのため、このような構成によれば、多層ミストＭの発生量を所望の量に制御しやすくなる。
【０１５６】
（変形例２）
図９は、実施の形態１の変形例２に係るミスト発生装置１００ｂの構成を示す断面図である。図１０は、実施の形態１の変形例２に係るミスト発生装置１００ｂの構成を示す部分拡大断面図である。
【０１５７】
なお、変形例２の説明においては、実施の形態１の変形例２に係るミスト発生装置１００ｂと、実施の形態１に係るミスト発生装置１００とで実質的に同様の構成については同様の符号を付し、説明を簡略又は省略する。また、図９では、電圧印加部４０等の構成要素の一部を省略して示している。
【０１５８】
ミスト発生装置１００ｂは、液滴生成部３００と、ミスト発生部４００と、制御部７２と、を備える。液滴生成部３００は、マイクロ流路チップ３０１と、供給部２１１、２１２、２１３と、を備える。
【０１５９】
図９に示すマイクロ流路チップ３０１は、図４に示すミスト発生部４００であるマイクロ流路チップ３０１の全体を示す概略斜視図である。
【０１６０】
マイクロ流路チップ３０１は、供給部２１１によって第１液体Ｌ１が導入される第１液体導入口３１０と、供給部２１２によって第２液体Ｌ２が導入される第２液体導入口３２０と、供給部２１３によって第３液体Ｌ３が導入される第３液体導入口３３０とを有する。第１液体導入口３１０は、図４に示す第１液体流路３１１に接続されている。また、第２液体導入口３２０は、図４に示す第２液体流路３２１に接続されている。また、第３液体導入口３３０は、図４に示す第３液体流路３３１に接続されている。
【０１６１】
供給部２１１は、マイクロ流路チップ３０１の第１液体導入口３１０に第１液体Ｌ１を供給する。供給部２１１は、例えば、ポンプであり、図示しない第１液体Ｌ１が収容されているタンクから配管を介して第１液体導入口３１０へ第１液体Ｌ１を供給する。なお、供給部２１１は、第１液体導入口３１０へ第１液体Ｌ１を供給できればよく、例えば、電磁弁等を備えてもよい。
【０１６２】
供給部２１２は、マイクロ流路チップ３０１の第２液体導入口３２０に第２液体Ｌ２を供給する。供給部２１２は、例えば、ポンプであり、図示しない第２液体Ｌ２が収容されているタンクから配管を介して第２液体導入口３２０へ第２液体Ｌ２を供給する。なお、供給部２１２は、第２液体導入口３２０へ第２液体Ｌ２を供給できればよく、例えば、電磁弁等を備えてもよい。
【０１６３】
供給部２１３は、マイクロ流路チップ３０１の第３液体導入口３３０に第３液体Ｌ３を供給する。供給部２１３は、例えば、ポンプであり、図示しない第３液体Ｌ３が収容されているタンクから配管を介して第３液体導入口３３０へ第３液体Ｌ３を供給する。なお、供給部２１３は、第３液体導入口３３０へ第３液体Ｌ３を供給できればよく、例えば、電磁弁等を備えてもよい。
【０１６４】
また、マイクロ流路チップ３０１は、リザーバ３４０を有する。
【０１６５】
リザーバ３４０は、第３液体流路３３１に接続されており、機能液滴Ｌを含む第３液体Ｌ３を蓄えておく収容部である。
【０１６６】
また、図１０に示すように、リザーバ３４０は、容器１０ａと接続されている。
【０１６７】
容器１０ａは、機能液滴Ｌを含む第３液体Ｌ３を収容する容器である。また、容器１０ａは、マイクロ流路チップ３０１のリザーバ３４０と、機能液滴Ｌを含む第３液体Ｌ３が移動可能に接続されている。本実施の形態では、容器１０ａの下側が開放されており、リザーバ３４０と接続されている。
【０１６８】
また、図９に示す制御部７２は、ミスト発生装置１００ｂの全体的な動作を制御する制御装置である。具体的には、制御部７２は、電圧印加部４０及び供給部２１１、２１２、１２３等の動作を制御する。例えば、制御部７２は、電圧印加部４０を制御することで、第１電極３０とノズル２６とに電圧を印加するタイミング、及び、電圧の大きさ等を制御する。
【０１６９】
制御部７２は、例えば、マイクロコントローラ等で実現される。具体的には、制御部７２は、プログラムが格納された不揮発性メモリ、プログラムを実行するための一時的な記憶領域である揮発性メモリ、入出力ポート、プログラムを実行するプロセッサ等で実現される。制御部７２は、各動作を実行する専用の電子回路で実現されてもよい。
【０１７０】
なお、制御部７２は、電圧印加部４０及び供給部２１１、２１２、２１３を制御することができればよく、無線信号を送信することで電圧印加部４０及び供給部２１１、２１２、２１３を制御してもよいし、電圧印加部４０及び供給部２１１、２１２、２１３、と制御線等により接続されていてもよい。
【０１７１】
以上のように、ミスト発生装置１００ｂは、実施の形態１に係るミスト発生装置１００とは異なり、供給部２１０を備えず、液滴生成部３００からミスト発生部４００へ機能液滴Ｌを含む第３液体Ｌ３が供給される。言い換えると、球状の第１液体Ｌ１と、第１液体Ｌ１の全体を覆い、且つ、第１液体Ｌ１よりも揮発性の低い第２液体Ｌ２とを有する機能液滴Ｌを第３液体Ｌ３中に生成する液滴生成部３００と、機能液滴Ｌを含む第３液体Ｌ３をミスト化した多層ミストＭを発生するミスト発生部４００と、を備える。
【０１７２】
このような構成によれば、さらに簡便な構成で機能液滴Ｌを含む第３液体を生成して、生成した機能液滴Ｌを含む第３液体をミスト化した多層ミストＭを発生することができる。
【０１７３】
（実施の形態２）
以下、実施の形態２に係るミスト発生装置について説明する。
【０１７４】
［構成］
＜概要＞
まず、図１１〜図１５を参照して、実施の形態２に係る多層ミストＢＭ、及び、多層ミストＢＭを発生するミスト発生装置の構成の概要について説明する。
【０１７５】
図１１は、実施の形態２に係るミスト発生装置１００の構成を示す概略断面図である。
【０１７６】
図１１に示すように、実施の形態２に係るミスト発生装置Ｂ１００は、容器Ｂ１０と、噴出板Ｂ２０と、第１電極Ｂ３０と、電圧印加部Ｂ４０と、供給部Ｂ３００と、制御部Ｂ７０と、を備える。噴出板Ｂ２０は、電極支持板Ｂ２１と、ノズルＢ２６とを有する。
【０１７７】
なお、図１１では、制御部Ｂ７０を機能的なブロックとして表している。制御部Ｂ７０は、例えば、マイコン（マイクロコントローラ）等で実現され、ミスト発生装置Ｂ１００の図示しない外殻筐体の内部に配置されている。制御部Ｂ７０は、例えば、容器Ｂ１０の外側に取り付けられていてもよい。
【０１７８】
ミスト発生装置Ｂ１００は、第１液体Ｌ１及び第２液体Ｌ２をミスト化して、大気中で浮遊する浮遊性を有する多層ミストＢＭを噴出する噴霧装置である。例えば、ミスト発生装置Ｂ１００は、第１液体Ｌ１及び第２液体Ｌ２に高電圧を印加して静電気力を発生させ、発生させた静電気力によって第１液体Ｌ１及び第２液体Ｌ２を微細化しミスト化することで、殺菌効果又は除菌効果を有する多層ミストＢＭを発生する装置である。多層ミストＢＭは、第１液体Ｌ１及び第２液体Ｌ２がミスト化されたミストを構成する複数の液体粒子のうちの１つである。ミスト発生装置Ｂ１００は、例えば、殺菌装置又は除菌装置等に利用される。
【０１７９】
なお、例えば、第１液体Ｌ１が香料成分を含む場合には、ミスト発生装置Ｂ１００は、香料成分を含む多層ミストＢＭを発生するアロマ発生器である。
【０１８０】
ミスト発生装置Ｂ１００は、容器Ｂ１０に収容されている第１液体Ｌ１及び第２液体Ｌ２を供給部Ｂ３００によってノズルＢ２６へ送液することで、第１液体Ｌ１及び第２液体Ｌ２をノズルＢ２６の先端へ導き、先端に設けられた開口Ｂ２９から第１液体Ｌ１及び第２液体Ｌ２をミスト状にした無数の多層ミストＢＭを噴出する。
【０１８１】
具体的には、電圧印加部Ｂ４０は、第１電極Ｂ３０との第２電極の一例であるノズルＢ２６との間に高電圧を印加することで、ノズルＢ２６の開口Ｂ２９から、ミスト状の第１液体Ｌ１及び第２液体Ｌ２（つまり、無数の多層ミストＢＭ）を噴出する。ここで、高電圧とは、例えば、グランド電位（０Ｖ）を基準とした場合に、５ｋＶ程度であるが、特に限定されない。なお、第１電極Ｂ３０の電圧は、グランド電位に対して、正であってもよいし、負であってもよい。
【０１８２】
ノズルＢ２６の内部には、容器Ｂ１０内の第１液体Ｌ１及び第２液体Ｌ２を開口Ｂ２９へ導く流路が形成されている。当該流路を通って開口Ｂ２９から出た第１液体Ｌ１及び第２液体Ｌ２は、電界によって形状が変化し、テーラーコーンを形成する。テーラーコーンの先端で第１液体Ｌ１及び第２液体Ｌ２が微細化されることで、多層ミストＢＭが発生される。
【０１８３】
なお、図１１には、ノズルＢ２６を１つ図示しているが、噴出板Ｂ２０に設けられるノズルＢ２６の数は、特に限定されず、２つであってもよいし、３つ以上であってもよい。
【０１８４】
ノズルＢ２６の各々の先端で発生された多層ミストＢＭは、第１電極Ｂ３０に向けて放出される。多層ミストＢＭを第１電極Ｂ３０の前方に放出させるために、第１電極Ｂ３０の平板部Ｂ３１には、ノズルＢ２６の正面に対応する位置に、貫通孔Ｂ３２が設けられている。これにより、多層ミストＢＭは、貫通孔Ｂ３２を介して第１電極Ｂ３０の前方に放出される。なお、「前方」とは、多層ミストＢＭが放出される方向であって、第１電極Ｂ３０を基準としてノズルＢ２６とは反対側の方向である。
【０１８５】
図１２は、実施の形態２に係る多層ミストＢＭの構成を示す概略断面図である。
【０１８６】
多層ミストＢＭは、例えば、ｎｍオーダ又はμｍオーダの径の微細な液体粒子であり、大気中で浮遊する浮遊性を有する。例えば、多層ミストＢＭの外径は、数十μｍ程度である。なお、好ましくは、多層ミストＢＭの外径は、１０μｍ以下であるとよい。また、より好ましくは、多層ミストＢＭを構成する液体粒子の径は、１０ｎｍ以上３μｍ以下であるとよい。
【０１８７】
多層ミストＢＭは、球状の第１液体Ｌ１と、第１液体Ｌ１の全体を覆う膜状の第２液体Ｌ２とを備える。
【０１８８】
第１液体Ｌ１は、所定の機能（効能）を発揮する液体粒子である。第１液体Ｌ１は、例えば、大気に触れることで、香りを発生する機能を有する香料成分を含む液体粒子、又は、菌等の対象物と接触することで当該対象物を殺菌する機能を有する液体粒子である。
【０１８９】
第２液体Ｌ２は、第１液体Ｌ１の全体を覆い、且つ、第１液体Ｌ１よりも低い揮発性を有する膜状の液体である。言い換えると、第２液体Ｌ２は、第１液体Ｌ１の全体を覆い、且つ、第１液体Ｌ１よりも揮発しにくい液体である。つまり、第２液体Ｌ２の揮発性は、第１液体Ｌ１の揮発性より低い。第２液体Ｌ２は、第１液体Ｌ１の全体を覆う膜状に形成される。
【０１９０】
第２液体Ｌ２は、多層ミストＢＭが発生された地点（つまり、ミスト発生装置１００）から所定の距離に至るまでに揮発又は欠損することで第１液体Ｌ１を大気に触れさせるように露出させる厚みに形成されている。具体的には、第２液体Ｌ２は、所定時間が経過した際に、言い換えると、ミスト発生装置Ｂ１００で多層ミストＢＭが発生されてから発生された多層ミストＢＭが所定距離移動した際に、揮発又は欠損することで第１液体Ｌ１を大気に触れさせるように露出させる厚みに形成されている。所定距離は、任意に定められてよい。多層ミストＢＭにおける第２液体Ｌ２の厚みは、例えば、予め任意に定められる所定時間が経過した際、言い換えると、所定距離移動した際に第２液体Ｌ２が揮発しきる程度であればよい。多層ミストＢＭにおける第２液体Ｌ２の厚みは、例えば、多層ミストＢＭにおける、第１液体Ｌ１の半径程度でもよいし、第１液体Ｌ１の半径より大きくてもよいし、第１液体Ｌ１の半径より小さくてもよい。
【０１９１】
また、例えば、多層ミストＢＭにおいて第１液体Ｌ１及び第２液体Ｌ２が混ざり合わないようにするために、第１液体Ｌ１及び第２液体Ｌ２の一方は油性であり、他方は水性である。つまり、第１液体Ｌ１及び第２液体Ｌ２の一方は油性であり、他方は水性である。
【０１９２】
以下では、ミスト発生装置Ｂ１００が備える各構成要素の詳細について説明する。
【０１９３】
＜容器＞
容器Ｂ１０は、第１液体Ｌ１及び第２液体Ｌ２を収容する容器である。容器Ｂ１０は、第１液体Ｌ１を収容する第１収容部Ｂ１１と、第２液体Ｌ２を収容する第２収容部Ｂ１２とを備える。
【０１９４】
第１収容部Ｂ１１は、第１液体Ｌ１を収容する空間である。第１液体Ｌ１は、例えば、大気に触れることで所定の機能を発揮する液体である。例えば、第１液体Ｌ１は、ミスト発生装置Ｂ１００がアロマ発生器である場合には、香料成分を含む油性の液体である。また、例えば、ミスト発生装置Ｂ１００が殺菌装置である場合には、第１液体Ｌ１は、次亜塩素酸等の殺菌成分を含む水性の液体である。なお、本実施の形態のように、第１液体Ｌ１及び第２液体Ｌ２を静電霧化によりミスト化する場合、第１液体Ｌ１は、水でもよい。
【０１９５】
第２収容部Ｂ１２は、第２液体Ｌ２を収容する空間である。第２液体Ｌ２は、例えば、第１液体Ｌ１が香料成分を含む油性の液体である場合には、第１液体Ｌ１より揮発性の低い水性の液体である。また、例えば、第２液体Ｌ２は、第１液体Ｌ１が次亜塩素酸等の殺菌成分を含む水性の液体である場合、油性の液体である。第２液体Ｌ２は、第２液体Ｌ２を膜状にした液体である。
【０１９６】
また、例えば、第２液体Ｌ２は、第１液体Ｌ１より揮発性が低い。つまり、第２液体Ｌ２は、第１液体Ｌ１より揮発しにくい材料であってもよい。
【０１９７】
容器Ｂ１０は、例えば、ステンレス等の金属材料を用いて形成されているが、樹脂材料を用いて形成されていてもよい。また、容器Ｂ１０は、耐酸性若しくは耐アルカリ性又はこれらの両方の性質を有する材料を用いて形成されていてもよい。
【０１９８】
容器Ｂ１０の形状は、例えば、上面が開放された円柱状であるが、これに限らない。容器Ｂ１０の形状は、立方体又は直方体状でもよく、扁平なトレイ状でもよい。容器Ｂ１０の開放された上面は、噴出板Ｂ２０によって覆われている。
【０１９９】
＜噴出板＞
図１３は、実施の形態２に係るノズルＢ２６を示す概略斜視図である。図１４は、図１３のＸＩＶ−ＸＩＶ線におけるノズルＢ２６の断面を示す部分拡大断面図である。
【０２００】
噴出板Ｂ２０は、第１液体Ｌ１及び第２液体Ｌ２を噴出させるための開口Ｂ２９を有する。具体的には、噴出板Ｂ２０は、平板状の電極支持板Ｂ２１と、ノズルＢ２６とを備える。開口Ｂ２９が有する第１吐出口Ｂ２９ａ及び第２吐出口Ｂ２９ｂは、ノズルＢ２６の先端に設けられている。より具体的には、図１３に示すように、ノズルＢ２６は、同心状に形成された内側の第１吐出口Ｂ２９ａ及び内側の第２吐出口Ｂ２９ｂを有する。図１３には、ノズルＢ２６は、同心円状に形成された内側の第１吐出口Ｂ２９ａ及び内側の第２吐出口Ｂ２９ｂを有する。
【０２０１】
図１４に示すように、ノズルＢ２６の第１吐出口Ｂ２９ａからは、第１流路Ｂ２５ａを経由して第１液体Ｌ１が吐出される。また、ノズルＢ２６の第２吐出口Ｂ２９ｂからは、第１吐出口Ｂ２９ａから吐出された第１液体Ｌ１を覆うように、第２流路Ｂ２５ｂを経由して第２液体Ｌ２が吐出される。これにより、ミスト発生装置Ｂ１００は、球状に形成された第１液体Ｌ１の全体が膜状の第２液体Ｌ２で覆われた多層ミストＢＭを発生する。
【０２０２】
電極支持板２１は、ノズルＢ２６を支持する板状の部材である。電極支持板Ｂ２１は、例えば、樹脂材料を用いて形成されているが、金属材料を用いて形成されていてもよい。また、電極支持板Ｂ２１は、耐酸性若しくは耐アルカリ性又はこれらの両方の性質を有する材料を用いて形成されていてもよい。
【０２０３】
電極支持板Ｂ２１には、ノズルＢ２６が圧入されることで固定されている。例えば、電極支持板Ｂ２１には、開口Ｂ２９を設けるべき位置にそれぞれ貫通孔が設けられ、当該貫通孔にノズルＢ２６が挿入されて固定されている。電極支持板Ｂ２１は、板厚が均一な平板であるが、これに限らず、湾曲板であってもよい。
【０２０４】
電極支持板Ｂ２１は、容器Ｂ１０に固定されている。なお、電極支持板Ｂ２１は、容器Ｂ１０と同一の材料を用いて、容器Ｂ１０と一体に形成されていてもよい。
【０２０５】
ノズルＢ２６は、容器Ｂ１０と繋がり、容器Ｂ１０に収容されている第１液体Ｌ１及び第２液体Ｌ２を容器Ｂ１０の外部へ放出する。具体的には、ノズルＢ２６は、第１収容部Ｂ１１及び第２収容部Ｂ１２と、第１流路Ｂ２５ａ及び第２流路Ｂ２５ｂを介して繋がっている。ノズルＢ２６は、第１収容部Ｂ１１に収容されている第１液体Ｌ１を、第１流路Ｂ２５ａを介して第１吐出口Ｂ２９ａから放出し、第２収容部Ｂ１２に収容されている第２液体Ｌ２を、第２流路Ｂ２５ｂを介して第２吐出口Ｂ２９ｂから放出する。ノズルＢ２６は、電極支持板Ｂ２１から第１電極Ｂ３０に向かって突出している。また、ノズルＢ２６は、後端（つまり、容器Ｂ１０側）に開口を有し、かつ、当該開口から開口Ｂ２９に至る流路を有する。
【０２０６】
なお、ノズルＢ２６の内径及び外径の少なくとも一方は、後端から先端に向かって漸次小さくなってもよい。例えば、後端側の開口より先端側の開口Ｂ２９が小さくてもよく、これら開口を繋ぐ流路の形状は、円錐台状であってもよい。なお、この場合における第１吐出口Ｂ２９ａの内径（口径）及び第２吐出口Ｂ２９ｂの内径（口径）は、第１電極Ｂ３０側の端部における第１ノズル部Ｂ２７及び第２ノズル部Ｂ２８の内径（口径）である。
【０２０７】
ノズルＢ２６の後端は、容器Ｂ１０に収容されている第１液体Ｌ１及び第２液体Ｌ２に接触する位置に配置されている。具体的には、ノズルＢ２６の後端は、ノズルＢ２６に形成された流路が第１収容部Ｂ１１及び第２収容部Ｂ１２の内部と連通する位置に配置されている。
【０２０８】
図１３及び図１４に示すように、第１液体Ｌ１は、第１供給部Ｂ３１０によって、ノズルＢ２６の後端側の開口からノズルＢ２６内の第１流路Ｂ２５ａを通って先端側の第１吐出口Ｂ２９ａまで導かれる。また、第２液体Ｌ２は、第２供給部Ｂ３２０によって、ノズルＢ２６の後端側の開口からノズルＢ２６内の第２流路Ｂ２５ｂを通って先端側の第２吐出口Ｂ２９ｂまで導かれる。
【０２０９】
ノズルＢ２６は、電極支持板Ｂ２１の主面（つまり、上面）に対して垂直に立設されている。主面は、電極支持板Ｂ２１の第１電極Ｂ３０に対向する面であり、第１液体Ｌ１及び第２液体Ｌ２とは反対側の面である。ノズルＢ２６は、外径に対する高さの比（以下、アスペクト比と記載する）が４以上であるとよい。ここで、ノズルＢ２６の高さは、ノズルＢ２６の先端から電極支持板Ｂ２１の主面までの距離で表される。当該高さは、例えば２ｍｍ以上である。ノズルＢ２６のアスペクト比が大きい程、ノズルＢ２６の先端に電界が集中しやすくなる。このため、ノズルＢ２６のアスペクト比は、例えば、６以上でもよい。
【０２１０】
ノズルＢ２６の材料は、特に限定されないが、例えば、導電性を有するステンレス等の金属材料を用いて形成されていてもよい。例えば、第１ノズル部Ｂ２７に導電性を有する材料を採用することで、第１ノズル部Ｂ２７を第１電極Ｂ３０と対となる第２電極とすることができる。つまり、第１ノズル部Ｂ２７の少なくとも一部には、第１電極Ｂ３０と対となる第２電極が形成されていてもよい。第２電極（本実施の形態では、ノズルＢ２６）は、第１電極Ｂ３０と対となり、ノズルＢ２６から吐出される第１液体Ｌ１及び第２液体Ｌ２の少なくとも一方に電圧を印加させることで、多層ミストＢＭを発生させる。
【０２１１】
また、第２ノズル部Ｂ２８は、導電性を有するステンレス等の金属材料を用いて形成されていてもよいし、絶縁性を有する樹脂等の材料によって形成されていてもよい。
【０２１２】
なお、例えば、ミスト発生装置Ｂ１００は、第２電極として、第１収容部Ｂ１１及び第２収容部Ｂ１２にそれぞれ収容された、第１電極Ｂ３０と対となる電極を備えてもよい。この場合、第１ノズル部Ｂ２７は、絶縁性を有する樹脂等の材料によって形成されていてもよい。また、第１ノズル部Ｂ２７は、耐酸性若しくは耐アルカリ性又はこれらの両方の性質を有する材料を用いて形成されていてもよい。
【０２１３】
また、電圧印加部Ｂ４０は、第２ノズル部Ｂ２８とも電気的に接続されていてもよい。このような構成よれば、第２液体Ｌ２により電圧を印加しやすくできる。なお、この場合、第２ノズル部Ｂ２８には、導電性の材料が採用されればよい。
【０２１４】
＜第１電極＞
第１電極Ｂ３０は、容器Ｂ１０の外部であって、開口Ｂ２９に対して貫通孔Ｂ３２が向かい合って配置されている対向電極である。具体的には、第１電極Ｂ３０は、容器Ｂ１０の外部で、第１電極Ｂ３０と対となる第２電極としても機能するノズルＢ２６に対向して配置されている。第１電極Ｂ３０は、ノズルＢ２６との間に電圧が印加されることで、ノズルＢ２６の先端から第１液体Ｌ１及び第２液体Ｌ２を放出させてミスト化する。第１電極Ｂ３０は、例えば、噴出板２０の電極支持板Ｂ２１と平行になるように配置されている。具体的には、第１電極Ｂ３０の後面は、電極支持板Ｂ２１の主面と平行である。
【０２１５】
第１電極Ｂ３０は、導電性を有し、例えば、ステンレス等の金属材料を用いて形成されている。第１電極Ｂ３０は、耐酸性若しくは耐アルカリ性又はこれらの両方の性質を有する材料を用いて形成されていてもよい。
【０２１６】
第１電極Ｂ３０は、平板部Ｂ３１と、貫通孔Ｂ３２とを有する。平板部Ｂ３１は、導電性を有し、電圧印加部Ｂ４０と電気的に接続されている。平板部Ｂ３１は、板厚が略均一である。また、ノズルＢ２６（具体的には、第１ノズル部Ｂ２７）は、導電性を有し、電圧印加部Ｂ４０と電気的に接続されている。
【０２１７】
貫通孔Ｂ３２は、平板部Ｂ３１を板厚方向（すなわち、前後方向）に貫通している。また、貫通孔Ｂ３２は、開口Ｂ２９から噴出されるミスト化した第１液体Ｌ１及び第２液体Ｌ２、すなわち、多層ミストＢＭを通過させるために設けられている。貫通孔Ｂ３２の形状は、扁平な円柱状である。なお、貫通孔Ｂ３２の開口の形状は、円形でなくてもよく、正方形、長方形、又は、楕円形等でもよい。
【０２１８】
なお、貫通孔Ｂ３２の開口径は、特に限定されないが、例えば、１ｍｍ以上２．２５ｍｍ以下の範囲である。また、例えば、貫通孔Ｂ３２の開口径は、ノズル２６の外径の５倍以上１０倍以下となるように形成されていてもよい。多層ミストＢＭは、テーラーコーンの先端から円錐状に広がって放出される。このため、貫通孔Ｂ３２の開口径が大きい程、多層ミストＢＭを通過させやすくなる。
【０２１９】
＜電圧印加部＞
電圧印加部Ｂ４０は、第１液体Ｌ１及び第２液体Ｌ２と第１電極Ｂ３０との間に所定の電圧を印加する。具体的には、電圧印加部Ｂ４０は、第１電極Ｂ３０とノズルＢ２６（具体的には、第１ノズル部Ｂ２７）とに金属配線等を介して電気的に接続されており、第１電極Ｂ３０と第１ノズル部Ｂ２７とに所定の電位差がつくように電位を印加する。例えば、第１ノズル部Ｂ２７は接地されており、電圧印加部Ｂ４０は第１液体Ｌ１及び第２液体Ｌ２にグランド電位を与える。電圧印加部Ｂ４０は、第１電極Ｂ３０に電位を与えることで、第１電極Ｂ３０と第１液体Ｌ１及び第２液体Ｌ２との間に所定の電圧を印加する。なお、第１電極Ｂ３０がグランド電位となっていてもよい。
【０２２０】
電圧印加部Ｂ４０が印加する所定の電圧は、例えば、３．５ｋＶ以上１０ｋＶ以下の直流電圧である。或いは、所定の電圧は、４．５ｋＶ以上８．５ｋＶ以下であってもよい。なお、所定の電圧は、パルス電圧、脈流電圧、又は、交流電圧でもよい。
【０２２１】
電圧印加部Ｂ４０は、具体的には、コンバータ等を含む電源回路で実現される。例えば、電圧印加部Ｂ４０は、商用電源等の外部電源から受けた電力に基づいて所定の電圧を生成して、生成した電圧を第１電極Ｂ３０と第２電極の間に印加することで、第１液体Ｌ１及び第２液体Ｌ２に電圧を印加する。
【０２２２】
＜供給部＞
供給部Ｂ３００は、容器Ｂ１０内の第１液体Ｌ１及び第２液体Ｌ２をノズルＢ２６へ送液する。供給部Ｂ３００は、例えば、第１供給部Ｂ３１０及び第２供給部Ｂ３２０を備える。
【０２２３】
第１供給部Ｂ３１０は、ノズルＢ２６の内部に形成されている第１流路Ｂ２５ａを介して第１吐出口Ｂ２９ａに第１液体Ｌ１を供給する。具体的には、第１供給部Ｂ３１０は、第１収容部Ｂ１１に収容されている第１液体Ｌ１を、ノズルＢ２６（具体的には、第１ノズル部Ｂ２７）の内部に形成されている第１流路Ｂ２５ａを介して第１吐出口Ｂ２９ａへ送液するポンプである。
【０２２４】
第２供給部Ｂ３２０は、ノズルＢ２６の内部に形成されている第２流路Ｂ２５ｂを介して第２吐出口Ｂ２９ｂに第２液体Ｌ２を供給する。具体的には、第２供給部Ｂ３２０は、第２収容部Ｂ１２に収容されている第２液体Ｌ２を、ノズルＢ２６、具体的には、第１ノズル部Ｂ２７の外側側面と第２ノズル部Ｂ２８の内側側面とによって形成される第２流路Ｂ２５ｂを介して第２吐出口Ｂ２９ｂへ送液するポンプである。
【０２２５】
＜制御部＞
制御部Ｂ７０は、ミスト発生装置Ｂ１００の全体的な動作を制御する制御装置である。具体的には、制御部Ｂ７０は、電圧印加部Ｂ４０及び供給部Ｂ３００の動作を制御する。例えば、制御部Ｂ７０は、電圧印加部Ｂ４０を制御することで、第１電極Ｂ３０とノズルＢ２６との間に電圧を印加するタイミング、及び、電圧の大きさ等を制御する。
【０２２６】
図１５は、実施の形態２に係るミスト発生装置Ｂ１００が多層ミストＢＭを発生する様子を模式的に示す概略断面図である。
【０２２７】
図１４及び図１５に示すように、制御部Ｂ７０は、例えば、供給部Ｂ３００及び電圧印加部Ｂ４０を制御することで、第１吐出口Ｂ２９ａから第１液体Ｌ１を吐出させ、且つ、第２吐出口Ｂ２９ｂから第１液体Ｌ１よりも揮発性が低い第２液体Ｌ２を吐出させることで、球状の第１液体Ｌ１の全体が膜状の第２液体Ｌ２で覆われた多層ミストＢＭを発生させる。
【０２２８】
制御部Ｂ７０によって第１供給部Ｂ３１０及び電圧印加部Ｂ４０が好適に制御されることで、ノズルＢ２６から放出される第１液体Ｌ１は、きれいなテーラーコーンを形成する。これは、ノズルＢ２６へ送液される第１液体Ｌ１の液量が適切であることを示す。同様に、制御部Ｂ７０によって第２供給部Ｂ３２０及び電圧印加部Ｂ４０が好適に制御されることで、ノズルＢ２６から放出される第２液体Ｌ２は、きれいなテーラーコーンを形成する。このように、制御部Ｂ７０は、供給部Ｂ３００を制御して、供給部Ｂ３００に送液させる第１液体Ｌ１及び第２液体Ｌ２の液量を好適に制御する。
【０２２９】
また、制御部Ｂ７０は、例えば、供給部Ｂ３００（具体的には、第１供給部Ｂ３１０）に供給させる第１液体Ｌ１の供給量を制御することで、多層ミストＢＭにおける第２液体Ｌ２の厚みを制御する。具体的に例えば、制御部Ｂ７０は、第１供給部Ｂ３１０に供給させる第１液体Ｌ１の供給量、及び、第２供給部Ｂ３２０に供給させる第２液体Ｌ２の供給量の少なくとも一方を制御することで、多層ミストＢＭにおける第２液体Ｌ２の厚みを制御する。
【０２３０】
制御部Ｂ７０は、例えば、マイクロコントローラ等で実現される。具体的には、制御部Ｂ７０は、プログラムが格納された不揮発性メモリ、プログラムを実行するための一時的な記憶領域である揮発性メモリ、入出力ポート、プログラムを実行するプロセッサ等で実現される。制御部Ｂ７０は、各動作を実行する専用の電子回路で実現されてもよい。
【０２３１】
なお、制御部Ｂ７０は、電圧印加部Ｂ４０及び供給部Ｂ３００を制御することができればよく、無線信号を送信することで電圧印加部Ｂ４０及び供給部Ｂ３００を制御してもよいし、電圧印加部Ｂ４０及び供給部Ｂ３００と制御線等により接続されていてもよい。
【０２３２】
［効果等］
以上のように、実施の形態２に係る多層ミストＢＭは、大気中で浮遊する浮遊性機能粒子である。多層ミストＢＭは、所定の機能を発揮する第１液体Ｌ１と、球状の第１液体Ｌ１の全体を覆い、且つ、第１液体Ｌ１よりも低い揮発性を有する膜状の第２液体Ｌ２と、を備える。
【０２３３】
図１６は、実施の形態２に係る多層ミストＢＭの効果を説明するための模式図である。
【０２３４】
図１６に示すように、比較例１に係る従来のナノミストでは、大気に接触することで機能を発揮する機能液滴がむき出しになっているために、大気中に放出されてすぐに気化してしまう。
【０２３５】
また、ミストがすぐに気化することを抑制するために、比較例２に係る従来ミストのように、粒径を例えば数百μｍオーダ程度まで大きくすると、自重により落下してしまい、遠くまで飛ばすことができないという問題がある。
【０２３６】
そこで、多層ミストＢＭは、大気に接触することで機能を発揮する第１液体Ｌ１が第２液体Ｌ２に覆われた構造を有する。
【０２３７】
このような構成によれば、多層ミストＢＭにおいては、まず、第２液体Ｌ２が気化し、続いて第１液体Ｌ１が気化することになる。そのため、第２液体Ｌ２の厚さを好適に調整することで、多層ミストＢＭを大気中に所望の浮遊時間だけ浮遊させやすくすることができる。これにより、多層ミストＢＭによれば、従来より大気中での浮遊時間を長くすることができる。
【０２３８】
例えば、第１液体Ｌ１及び第２液体Ｌ２の一方は油性であり、他方は水性である。
【０２３９】
このような構成によれば、第１液体Ｌ１と第２液体Ｌ２とは、混ざり合いにくくなる。そのため、このような構成によれば、多層ミストＢＭの大気中での浮遊時間をより長くすることができる。
【０２４０】
また、例えば、多層ミストＢＭの粒径は、１０μｍ以下である。例えば、多層ミストＢＭの粒径が５μｍの場合、本願発明者らは、多層ミストＢＭの空中での浮遊滞空時間が約２０分間続くであろうと計算で予測している。また、例えば、多層ミストＢＭの粒径が３μｍの場合、本願発明者らは、多層ミストＢＭの空中での浮遊滞空時間が約６０分間続くであろうと計算で予測している。さらにまた、例えば、多層ミストＢＭの粒径が１μｍの場合、本願発明者らは、多層ミストＢＭの空中での浮遊滞空時間が約５５０分間続くであろうと計算で予測している。ここで、第２液体Ｌ２の膜の厚みは、多層ミストＢＭの粒径が５μｍの場合は例えば８０ｎｍ以下とし、多層ミストＢＭの粒径が３μｍの場合は例えば５０ｎｍ以下とし、多層ミストＢＭの粒径が例えば１μｍの場合は１５ｎｍ以下として、多層ミストＢＭの粒径が小さくなるほど第２液体Ｌ２の膜の厚みを薄く設計する。このようにして、多層ミストＢＭの空気中での浮遊滞空時間を長く稼げるようになると、複数の多層ミストＢＭが人間の生活空間で当該人間の表面に数多く接触できる機会が生まれることになる。そのため、多層ミストＢＭが上記のような寸法であることで、人間の表面に接触して第２液体Ｌ２が姿を消して、つまり、人間の表面に接触して第１液体Ｌ１が第２液体Ｌ２から露出することで、第１液体Ｌ１がその効能を人体（特に顔面）に奏して、殺菌等の作用を発揮できる機会を数多く創出できる。
【０２４１】
また、多層ミストＢＭは、上記のような寸法であれば、自重ですぐに落下することなく、且つ、大気中でより長い時間浮遊することができる。
【０２４２】
また、実施の形態２に係るミスト発生装置Ｂ１００は、同心状に形成された内側の第１吐出口Ｂ２９ａ及び外側の第２吐出口Ｂ２９ｂを有するノズルＢ２６と、第１吐出口Ｂ２９ａから第１液体Ｌ１を吐出させ、且つ、第２吐出口Ｂ２９ｂから第１液体Ｌ１よりも揮発性が低い第２液体Ｌ２を吐出させることで、球状に形成された第１液体Ｌ１の全体が第２液体Ｌ２で覆われた、大気中に浮遊する多層ミストＢＭを発生させる制御部Ｂ７０と、を備える。
【０２４３】
このような構成によれば、ミスト発生装置Ｂ１００は、上述した、従来より大気中での浮遊時間が長い多層ミストＢＭを発生することができる。
【０２４４】
また、例えば、ミスト発生装置Ｂ１００は、さらに、ノズルＢ２６の内部に形成されている第１流路Ｂ２５ａを介して第１吐出口Ｂ２９ａに第１液体Ｌ１を供給する第１供給部Ｂ３１０と、ノズルＢ２６の内部に形成され、第１流路Ｂ２５ａとは異なる第２流路Ｂ２５ｂを介して第２吐出口Ｂ２９ｂに第２液体Ｌ２を供給する第２供給部Ｂ３２０と、を備える。制御部Ｂ７０は、さらに、第１供給部Ｂ３１０に供給させる第１液体Ｌ１の供給量、及び、第２供給部Ｂ３２０に供給させる第２液体Ｌ２の供給量の少なくとも一方を制御することで、多層ミストＢＭにおける第２液体Ｌ２（つまり、第２液体Ｌ２）の厚みを制御する。
【０２４５】
このような構成によれば、ミスト発生装置Ｂ１００は、制御部Ｂ７０の制御によって第２液体Ｌ２の膜厚が異なる多層ミストＢＭを発生することができる。そのため、このような構成によれば、ミスト発生装置Ｂ１００が設置される空間のサイズに適した大気中での滞在時間を有する多層ミストＢＭを発生することができる。
【０２４６】
また、例えば、ミスト発生装置Ｂ１００は、さらに、ノズルＢ２６に対向して配置される第１電極Ｂ３０と、第１電極Ｂ３０と対となり、ノズルＢ２６から吐出される第１液体Ｌ１、及び第２液体Ｌ２の少なくとも一方に電圧を印加させることで、多層ミストＢＭを発生させる第２電極と、を備える。
【０２４７】
このような構成によれば、ミスト発生装置Ｂ１００は、ｎｍオーダ〜μｍオーダの粒径の多層ミストＢＭを簡便に発生することができる。
【０２４８】
また、例えば、ミスト発生装置Ｂ１００は、第１ノズル部Ｂ２７の少なくとも一部には、第２電極が形成されている。
【０２４９】
このような構成によれば、ミスト発生装置Ｂ１００は、第２電極とする部材を別途設けることなく、より簡便な構成で多層ミストＢＭを発生することができる。
【０２５０】
（変形例１）
図１７は、実施の形態２の変形例１に係るミスト発生装置が備えるノズルＢ２６ａの構成を示す概略断面図である。
【０２５１】
なお、実施の形態２の変形例１に係るミスト発生装置は、実施の形態２に係るミスト発生装置Ｂ１００とノズル以外の構成は同じである。なお、図８において、実施の形態２の変形例１に係るミスト発生装置と、実施の形態２に係るミスト発生装置Ｂ１００とで実質的に同様の構成については同様の符号を付し、説明を簡略化又は省略する。
【０２５２】
図１７に示すように、ノズルＢ２６ａは、第１ノズル部Ｂ２７ａと、第２ノズル部Ｂ２８とを備える。具体的には、ノズルＢ２６ａは、第１吐出口Ｂ２９ａを形成する第１ノズル部Ｂ２７ａと、第１ノズル部Ｂ２７ａの径方向に位置する外側面を離間して覆うことで、第１ノズル部Ｂ２７ａとともに第２吐出口Ｂ２９ｂを形成する第２ノズル部Ｂ２８と、を有する。ここで、第１ノズル部Ｂ２７ａにおける第１吐出口Ｂ２９ａが形成される端部は、第２ノズル部Ｂ２８の端部Ｂ２９ｃから奥まって位置する点が、ノズルＢ２６ａは、ノズルＢ２６と異なる。
【０２５３】
例えば、第２液体Ｌ２は、採用される材料によっては、第１液体Ｌ１と同様のテーラーコーンを形成しにくい場合がある。この場合に、図１７に示すように、第１ノズル部Ｂ２７ａにおける第１吐出口Ｂ２９ａが形成される端部は、第２ノズル部Ｂ２８の端部Ｂ２９ｃから奥まって位置させることで、図１５に示す実施の形態２に係るミスト発生装置Ｂ１００と同様に、所望の膜厚の第２液体Ｌ２（図１２参照）を有する多層ミストＢＭが発生され得る。
【０２５４】
以上のように、例えば、実施の形態２の変形例１に係るミスト発生装置が備えるノズルＢ２６ａは、第１吐出口Ｂ２９ａを形成する第１ノズル部Ｂ２７ａと、第１ノズル部Ｂ２７ａの径方向に位置する外側面を離間して覆うことで、第１ノズル部Ｂ２７ａとともに第２吐出口Ｂ２９ｂを形成する第２ノズル部Ｂ２８と、を有する。第１ノズル部Ｂ２７ａにおける第１吐出口Ｂ２９ａが形成される端部は、第２ノズル部Ｂ２８の端部Ｂ２９ｃから奥まって位置する。
【０２５５】
このような構成によれば、例えば、第２液体Ｌ２が第１液体Ｌ１と同様のテーラーコーンを形成しにくい場合においても、所望の膜厚の第２液体Ｌ２を有する多層ミストＢＭが発生され得る。
【０２５６】
（変形例２）
図１８は、実施の形態２の変形例２に係るミスト発生装置が備えるノズルの構成を示す概略断面図である。
【０２５７】
なお、実施の形態２の変形例２に係るミスト発生装置は、実施の形態２に係るミスト発生装置Ｂ１００とノズル以外の構成は同じである。なお、図１８において、実施の形態２の変形例２に係るミスト発生装置と、実施の形態２に係るミスト発生装置Ｂ１００とで実質的に同様の構成については同様の符号を付し、説明を簡略化又は省略する。
【０２５８】
図１８に示すように、実施の形態２の変形例２に係るミスト発生装置は、ノズルＢ２６と、ノズルＢ２６ｂとを有する。つまり、実施の形態２の変形例２に係るミスト発生装置は、複数のノズルを有する。
【０２５９】
ノズルＢ２６ｂは、多層ミストＢＭとは第２液体Ｌ２の厚みが異なる多層ミストＢＭ１を発生させるためのノズルである。複数のノズルＢ２６、Ｂ２６ｂのそれぞれは、第２吐出口Ｂ２９ｂ、Ｂ２９ｂｂの口径が異なる。具体的には、複数のノズルＢ２６、Ｂ２６ｂのそれぞれは、第１吐出口Ｂ２９ａの口径が同じであり、つまり、第１ノズル部の外径が同じであり、第２吐出口Ｂ２９ｂ、Ｂ２９ｂｂの口径Ｒ１、Ｒ２が異なる。図１８には、ノズルＢ２６の第２吐出口Ｂ２９ｂの口径Ｒ１が、ノズルＢ２６ｂの第２吐出口Ｂ２９ｂｂの口径Ｒ２よりも小さい場合を例示している。
【０２６０】
なお、図示しないが、ノズルＢ２６ｂの第１吐出口Ｂ２９ａは、ノズルＢ２６内の流路を介して第１収容部Ｂ１１と第１液体Ｌ１が移動可能に連通されている。また、ノズルＢ２６ｂの第２吐出口Ｂ２９ｂｂは、ノズルＢ２６内の流路を介して第２収容部Ｂ１２と第２液体Ｌ２が移動可能に連通されている。
【０２６１】
また、第１電極Ｂ３０ａには、第１電極Ｂ３０と異なり、複数の貫通孔Ｂ３２が形成されている。複数の貫通孔Ｂ３２は、いずれも、平板部Ｂ３１を板厚方向（すなわち、前後方向）に貫通している。また、複数の貫通孔Ｂ３２は、ノズルＢ２６、Ｂ２６ｂにそれぞれ対応する位置に複数形成されている。
【０２６２】
なお、図１８には、２つのノズルＢ２６、Ｂ２６ｂを示しているが、貫通孔Ｂ３２は、例えば、複数のノズルと同じ数だけ平板部Ｂ３１に形成される。
【０２６３】
以上のように、実施の形態２の変形例２に係るミスト発生装置は、ノズルを複数有する。また、複数のノズル（例えば、ノズルＢ２６、Ｂ２６ｂ）のそれぞれは、第２吐出口の口径（例えば、口径Ｒ１と口径Ｒ２と）が異なる。
【０２６４】
このような構成によれば、第１ノズル部の外径が同じであれば、実施の形態２の変形例２に係るミスト発生装置は、第２液体Ｌ２の膜厚が異なる複数の多層ミスト（例えば、図９に示す多層ミストＢＭ、ＢＭ１）を一度に発生することができる。これにより、実施の形態２の変形例２に係るミスト発生装置は、大気中で存在できる時間が異なる複数の多層ミストＢＭ、ＢＭ１を一度に発生することができる。そのため、実施の形態２の変形例２に係るミスト発生装置によれば、所定の空間にむらなく一様に多層ミストＢＭ、ＢＭ１を発生しやすくすることができる。
【０２６５】
なお、例えば、実施の形態２に係るミスト発生装置において、第１収容部Ｂ１１に図１に示すミスト発生部４００で生成された機能液滴Ｌを含む第３液体Ｌ３が収容され、第２収容部Ｂ１２に第３液体Ｌ３とは液性（油性及び水性）が異なる第４液体が収容されていてもよい。言い換えると、第３液体Ｌ３及び第４液体のうち、一方は、油性であり、他方は水性である。
【０２６６】
このように、例えば、ミスト発生装置は、機能液滴Ｌを含む第３液体Ｌ３を吐出するノズルＢ２６と、ノズルＢ２６に対向して配置され、ノズルＢ２６から吐出される機能液滴Ｌを含む第３液体Ｌ３に電圧を印加することで、機能液滴Ｌを含む第３液体Ｌ３をミスト化して多層ミストを発生させる第１電極Ｂ３０と、を有する。また、ノズルＢ２６は、同心状に形成された内側の第１吐出口Ｂ２９ａ及び外側の第２吐出口Ｂ２９ｂを有し、制御部は、第１吐出口Ｂ２９ａから機能液滴Ｌを含む第３液体Ｌ３を吐出させ、且つ、第２吐出口Ｂ２９ｂから第３液体Ｌ３よりも揮発性が低い第４液体を吐出させることで、球状に形成された第３液体Ｌ３の全体が第４液体で覆われた多層ミストを発生させてもよい。
【０２６７】
このような構成によれば、ミスト発生装置は、複数の液層で覆われた多層ミストをより簡便に発生することができる。
【０２６８】
（実施の形態３）
以下、実施の形態３に係るミスト発生装置について説明する。なお、実施の形態３に係るミスト発生装置の説明においては、実施の形態１に係るミスト発生装置１００との差異点を中心に説明する。実施の形態３に係るミスト発生装置の説明においては、実施の形態１に係るミスト発生装置１００と実質的に同様の構成については、同様の符号を付し、説明を簡略化又は省略する場合がある。
【０２６９】
図１９は、実施の形態３に係るミスト発生装置１００ｃの構成を示す概略斜視図である。
【０２７０】
図１９に示すように、ミスト発生装置１００ｃは、液滴生成部３００ｃと、ミスト発生部４０２と、を備える。
【０２７１】
液滴生成部３００ｃは、第３液体Ｌ３中に機能液滴Ｌを生成するμｍオーダの流路を有するマイクロ流体デバイスであるマイクロ流路チップ３０２と、マイクロ流路チップ３０２に第１液体Ｌ１、第２液体Ｌ２、及び、第３液体Ｌ３を供給する供給部２１１、２１２、２１３とを備える。
【０２７２】
マイクロ流路チップ３０２は、第１液体Ｌ１、第２液体Ｌ２、及び、第３液体Ｌ３が通過する流路が形成された板体である。マイクロ流路チップ３０２は、Ｔ字状、及び／又は、Ｘ字状に分岐している流路を有する。本実施の形態では、マイクロ流路チップ３０２は、図４に示すマイクロ流路チップ３０１と同様に、第１液体Ｌ１が通過する第１液体流路３１１（図４参照）と、第２液体Ｌ２が通過する第２液体流路３２１（図４参照）と、第１液体流路３１１及び第２液体流路３２１と接続し、第２液体Ｌ２で第１液体Ｌ１の全体を覆わせるための混合流路３２２（図４参照）と、混合流路３２２と接続し、第３液体Ｌ３で第１液体Ｌ１及び第２液体Ｌ２の全体を覆わせるための第３液体流路３３１（図４参照）と、を有する。また、マイクロ流路チップ３０２は、第３液体流路３３１と接続し、第３液体流路３３１を通過した機能液滴Ｌを含む第３液体Ｌ３をマイクロ流路チップ３０２の外部に吐出するための吐出口６００を有する。
【０２７３】
吐出口６００は、第３液体流路３３１を通過した機能液滴Ｌを含む第３液体Ｌ３をマイクロ流路チップ３０２の外部に吐出するためにマイクロ流路チップ３０２に形成されている孔である。
【０２７４】
本実施の形態では、マイクロ流路チップ３０２は、平板状の板体であり、吐出口６００は、マイクロ流路チップ３０２の側面（吐出面６２０）に形成されている。吐出口６００からは、機能液滴Ｌを含む第３液体Ｌ３である吐出液６１０が吐出される。
【０２７５】
マイクロ流路チップ３０２は、例えば、ガラス材料、又は、樹脂材料等により構成される。
【０２７６】
また、マイクロ流路チップ３０２の吐出面６２０は、例えば、撥水性を有する。
【０２７７】
こうすることで、吐出液６１０は、吐出面６２０に付着しにくくなる。これにより、吐出液６１０は、垂れることなく吐出口６００から勢いよく吐出されやすくなる。
【０２７８】
ミスト発生部４０２は、マイクロ流路チップ３０２で生成された機能液滴Ｌを含む第３液体Ｌ３をミスト化した多層ミストＭを発生する装置である。本実施の形態では、ミスト発生部４０２は、風を発生させる送風機である。
【０２７９】
例えば、ミスト発生部４０２は、鉛直下方側から鉛直上方側へ向けて送風する。また、マイクロ流路チップ３０２は、ミスト発生部４０２の鉛直上方側に配置され、ミスト発生部４０２の直上に向けて、吐出液６１０を吐出口６００から水平方向に吐出する。
【０２８０】
図２０は、実施の形態３に係るミスト発生装置１００ｃから多層ミストＭが発生される様子を模式的に示す図である。
【０２８１】
吐出液６１０を吐出口６００から水平方向に吐出するための圧力の設定については、吐出された機能液体Ｌを含む第３液体Ｌ３が液柱状になるように、例えば、制御部７３が供給部２１１、２１２、２１３のマイクロ流路チップ３０２への第１液体Ｌ１、第２液体Ｌ２、及び／又は、第３液体Ｌ３の単位時間当たりの供給量を制御することで、吐出圧を設定する。
【０２８２】
次に、当該液柱では、相対的に揮発性が低く、且つ、粘度の高い第２液体Ｌ２が起点となり、当該液柱の表面にわずかなくびれが生じる。
【０２８３】
さらに、表面張力によりくびれが成長して液柱が分裂し、さらに、第３液体Ｌ３が揮発して第２液体Ｌ２が空気中に露出した多層ミストＭが形成される。
【０２８４】
このような微細な液柱の分裂を促進するために、当該液柱を生成している吐出液６１０に向けて、下方からミスト発生部４０２によって送風することで、吐出液６１０の効率的なミスト化を期待できる。また、このとき、当該送風により、多層ミストＭを上方に制御して放出することで多層ミストＭの長時間の浮遊が期待される。
【０２８５】
制御部７３は、ミスト発生装置１００ｃの全体的な動作を制御する制御装置である。具体的には、制御部７３は、ミスト発生部４０２、供給部２１１、２１２、１２３等の動作を制御する。例えば、制御部７３は、ミスト発生部４０２を制御することで、ミスト発生部４０２に送風させるタイミング、及び、風力の大きさ等を制御する。
【０２８６】
制御部７３は、例えば、マイクロコントローラ等で実現される。具体的には、制御部７３は、プログラムが格納された不揮発性メモリ、プログラムを実行するための一時的な記憶領域である揮発性メモリ、入出力ポート、プログラムを実行するプロセッサ等で実現される。制御部７３は、各動作を実行する専用の電子回路で実現されてもよい。
【０２８７】
なお、制御部７３は、ミスト発生部４０２及び供給部２１１、２１２、２１３を制御することができればよく、無線信号を送信することでミスト発生部４０２及び供給部２１１、２１２、２１３を制御してもよいし、ミスト発生部４０２及び供給部２１１、２１２、２１３、と制御線等により接続されていてもよい。
【０２８８】
なお、図１９に示すマイクロ流路チップ３０２は、図４に示すリザーバ３４０を有さない。ミスト発生部が静電霧化又は超音波振動を用いて機能液滴Ｌを含む第３液体Ｌ３を霧化する場合、所定量以上の機能液滴Ｌを含む第３液体Ｌ３が必要になる。しかしながら、ミスト発生装置１００ｃによれば、マイクロ流路チップ３０２から吐出した吐出液６１０に送風することで機能液滴Ｌを含む第３液体Ｌ３をミスト化した多層ミストＭを発生するために、少量の機能液滴Ｌを含む第３液体Ｌ３をミスト化できる。そのため、図４に示すリザーバ３４０等の機能液滴Ｌを含む第３液体Ｌ３を収容する収容部は不要となる。これにより、マイクロ流路チップ３０２は、小型化され得る。また、マイクロ流路チップ３０２が用いられることで、多層ミストＭを一粒単位で個別にミスト化することができる。そのため、ミスト発生装置１００ｃによれば、例えば、静電霧化により多層ミストＭを発生させる場合のように多層ミストＭを帯電させる必要もないので、例えば、図１に記載の電圧印加部４０等の構造が不要となる。これにより、ミスト発生装置１００ｃのさらなる小型化が期待される。
【０２８９】
また、吐出面６２０における吐出口６００の近傍は、吐出液６１０が吐出される方向に尖っているとよい。
【０２９０】
図２１は、実施の形態の変形例１に係るミスト発生装置１００ｄの構成を示す上面図である。なお、図２１においては、ミスト発生装置１００ｄが備える制御部７３、供給部２１１〜２１３等の構成要素の一部の図示を省略している。
【０２９１】
図２１に示すように、ミスト発生装置１００ｄは、ミスト発生装置１００ｃとは、液滴生成部３００ｄが備えるマイクロ流路チップ３０３の形状のみが異なる。
【０２９２】
マイクロ流路チップ３０３における吐出口６００が形成される側面である吐出面６２１は、吐出口６００の近傍が吐出液６１０の吐出方向に突出している。具体的には、吐出面６２１には、吐出液６１０の吐出方向に傾斜した傾斜面を有する傾斜部６３０が形成されている。これにより、傾斜部６３０が形成されていない場合と比較して、吐出液６１０は、さらに、吐出面６２１に付着しにくくなる。
【０２９３】
なお、図２１には、上面視で吐出口６００の近傍が吐出液６１０の吐出方向に突出した傾斜部６３０を図示しているが、傾斜部６３０が形成される位置は、これに限定されない。
【０２９４】
例えば、傾斜部６３０が有する傾斜面は、マイクロ流路チップ３０３を側面視した場合に、（マイクロ流路チップ３０３の主面（上面）に平行な方向であって、且つ、吐出面６２１に平行な方向から見た場合に）、吐出口６００の近傍が吐出液６１０の吐出方向に突出するように形成されていてもよい。
【０２９５】
また、ミスト発生部４０２は、例えば、送風機であると説明したが、吐出液６１０をミスト化できればよく、これに限定されない。例えば、ミスト発生部４０２は、マイクロ流路チップ３０２、３０３を振動させることで、吐出液６０１をミスト化する振動発生装置でもよい。
【０２９６】
（その他の実施の形態）
以上、本発明に係るミスト発生装置について、上記各実施の形態及び変形例に基づいて説明したが、本発明は、上記各実施の形態及び変形例に限定されるものではない。
【０２９７】
また、例えば、上記実施の形態では、静電霧化により多層ミストＭを帯電させる、又は、図８に示す帯電電極３０ａにより多層ミストＭを帯電させる。なお、多層ミストＭを帯電させるために、予めミスト化していない第３液体Ｌ３を帯電させてもよい。つまり、液滴生成部３００で生成された機能液滴Ｌを含む第３液体Ｌ３を帯電させ、帯電させた機能液滴Ｌを含む第３液体Ｌ３をミスト化することで、多層ミストＭは、発生されてもよい。
【０２９８】
このような方法によれば、機能液滴Ｌを含む第３液体Ｌ３のミスト化と帯電とを個別に実行できるため、多層ミストＭの発生量と、多層ミストＭに帯電させる電荷量とを個別に制御できる。そのため、このような方法によれば、多層ミストＭの発生量を所望の量に制御しやすくなる。
【０２９９】
なお、第３液体Ｌ３を帯電させる方法は、特に限定されない。例えば、容器１０内に電圧印加部と電気的に接続された電極が配置され、当該電極に電圧が印加されることで、容器１０内の第３液体Ｌ３は、帯電されてもよい。なお、電圧印加部が印加する所定の電圧は、パルス電圧、脈流電圧、又は、交流電圧でもよい。
【０３００】
また、多層ミストＭは、電荷Ｅによる帯電を必ずしも必要とはせず、ミスト発生装置が多層ミストＭを電荷Ｅにより帯電させない場合も、本発明の思想の範囲である。
【０３０１】
また、例えば、上記の実施の形態では、電極支持板２１が第３液体Ｌ３の上面を覆うように設けられ、ノズル２６が上方に向かって突出する例を示したが、これに限らない。例えば、電極支持板２１は、第３液体Ｌ３の下面又は側面を覆っていてもよく、複数のノズル２６は、下方、側方又は斜め方向に突出していてもよい。本発明に係るミスト発生装置による多層ミストＭの噴霧方向は、上方に限らず、下方、側方又は斜め方向でもよい。
【０３０２】
また、例えば、噴出板２０は、電極支持板２１とノズル２６とが一体に形成されていてもよい。噴出板２０は、例えば金属材料又は樹脂材料を用いた射出成形により一体的に形成されてもよい。
【０３０３】
また、例えば、第１電極３０は、平板状の電極でなくてもよく、例えば、滑らかに湾曲した電極板であってもよい。貫通孔３２は、厚み方向に電極板を貫通していてもよく、ノズル２６の突出方向に電極板を貫通していてもよい。
【０３０４】
また、例えば、上記実施の形態では、液滴生成部３００、３００ａ、３００ｂは、第３液体Ｌ３中で、機能液滴Ｌを生成した。ミスト発生装置は、例えば、液滴生成部により機能液滴Ｌを生成した後で、供給部により機能液滴Ｌを第３液体Ｌ３中に供給することにより、機能液滴Ｌを第３液体Ｌ３中に生成してもよい。
【０３０５】
また、例えば、上記実施の形態では、供給部２１０はポンプであり、液滴生成部３００で生成された機能液滴Ｌは供給部２１０によって容器１０に収容されている第３液体Ｌ３に供給されるとした。例えば、液滴生成部３００が容器１０の上部に配置され、且つ、制御部７０によってマイクロ流路チップ３０１に導入される第１液体Ｌ１及び第２液体Ｌ２の導入量がコントロールされる場合、つまり、制御部７０によって機能液滴Ｌの生成がコントロールされる場合、供給部は、例えば、液滴生成部３００で生成された機能液滴Ｌを容器１０に収容されている第３液体Ｌ３中に導く配管でもよい。
【０３０６】
また、例えば、上記の実施の形態では、電極支持板Ｂ２１が第１液体Ｌ１及び第２液体Ｌ２の上面を覆うように設けられ、ノズルＢ２６が上方に向かって突出する例を示したが、これに限らない。例えば、電極支持板Ｂ２１は、第１液体Ｌ１及び第２液体Ｌ２の下面又は側面を覆っていてもよく、ノズルＢ２６は、下方、側方又は斜め方向に突出していてもよい。ミスト発生装置Ｂ１００による多層ミストＢＭの噴霧方向は、上方に限らず、下方、側方又は斜め方向でもよい。
【０３０７】
また、例えば、噴出板Ｂ２０は、電極支持板Ｂ２１とノズルＢ２６とが一体に形成されていてもよい。噴出板Ｂ２０は、例えば、金属材料又は樹脂材料を用いた射出成形により一体的に形成されてもよい。
【０３０８】
また、例えば、第１電極Ｂ３０は、平板状の電極でなくてもよく、滑らかに湾曲した電極板であってもよい。貫通孔Ｂ３２は、厚み方向に電極板を貫通していてもよく、ノズルＢ２６の突出方向に電極板を貫通していてもよい。
【０３０９】
また、例えば、上記実施の形態では、ノズルＢ２６は、第１ノズル部Ｂ２７と、第１ノズル部Ｂ２７の外周を離間して覆う第２ノズル部Ｂ２８とを備えた。ノズルＢ２６は、例えば、第２ノズル部Ｂ２８の外周を離間して覆う第３ノズル部を備えてもよい。このような構成にすることで、第１液体Ｌ１を覆う液膜を多層にすることができる。
【０３１０】
また、例えば、ミスト発生装置は、第１吐出口Ｂ２９ａ及び第２吐出口Ｂ２９ｂが形成されたノズルＢ２６だけでなく、吐出口が１つの従来のいわゆる単層ノズルをさらに備えてもよい。
【０３１１】
また、例えば、第１液体Ｌ１は、殺菌等の効果を有する次亜塩素酸を含む水性の液体でもよいし、香料等を含む油性の液体等でもよい。また、例えば、第２液体Ｌ２もまた、殺菌等の効果を有する次亜塩素酸を含む水性の液体、又は、香料等を含む油性の液体等が採用されてもよい。
【０３１２】
また、多層ミストＢＭにおける第２液体Ｌ２の厚みは、第２液体Ｌ２の揮発速度、多層ミストＢＭの重量、大気における気温、湿度、気体成分等の条件に応じて適宜変更がなされてよい。第２液体Ｌ２の厚みは、揮発又は欠損することで予め任意に定められる所定距離に至るまでに第１液体Ｌ１を大気に触れさせるように吐出させるような厚みに設定されればよい。
【０３１３】
また、例えば、ミスト発生装置は、発生した多層ミストを遠くへ飛ばすため、又は、発生した多層ミストを飛ばす方向を定めるために、ファン等を有する送風部を備えてもよい。
【０３１４】
また、上記実施の形態において、制御部７０等の構成要素の全部又は一部は、専用のハードウェアで構成されてもよく、或いは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサ等のプログラム実行部が、ＨＤＤ（Ｈａｒｄ  Ｄｉｓｋ  Ｄｒｉｖｅ）又は半導体メモリ等の記録媒体に記録されたソフトウェアプログラムを読み出して実行することによって実現されてもよい。
【０３１５】
また、制御部７０等の構成要素は、１つ又は複数の電子回路で構成されてもよい。１つ又は複数の電子回路は、それぞれ、汎用的な回路でもよいし、専用の回路でもよい。
【０３１６】
１つ又は複数の電子回路には、例えば、半導体装置、ＩＣ（Ｉｎｔｅｇｒａｔｅｄ  Ｃｉｒｃｕｉｔ）又はＬＳＩ（Ｌａｒｇｅ  Ｓｃａｌｅ  Ｉｎｔｅｇｒａｔｉｏｎ）等が含まれてもよい。ＩＣ又はＬＳＩは、１つのチップに集積されてもよく、複数のチップに集積されてもよい。ここでは、ＩＣ又はＬＳＩと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、又は、ＵＬＳＩ（Ｕｌｔｒａ  Ｌａｒｇｅ  Ｓｃａｌｅ  Ｉｎｔｅｇｒａｔｉｏｎ）と呼ばれるかもしれない。また、ＬＳＩの製造後にプログラムされるＦＰＧＡ（Ｆｉｅｌｄ  Ｐｒｏｇｒａｍｍａｂｌｅ  Ｇａｔｅ  Ａｒｒａｙ）も同じ目的で使うことができる。
【０３１７】
また、本発明の全般的又は具体的な態様は、システム、装置、方法、集積回路又はコンピュータプログラムで実現されてもよい。或いは、当該コンピュータプログラムが記憶された光学ディスク、ＨＤＤ若しくは半導体メモリ等のコンピュータ読み取り可能な非一時的記録媒体で実現されてもよい。また、システム、装置、方法、集積回路、コンピュータプログラム及び記録媒体の任意な組み合わせで実現されてもよい。
【０３１８】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０３１９】
２６、Ｂ２６、Ｂ２６ａ、Ｂ２６ｂ  ノズル
３０、Ｂ３０、Ｂ３０ａ  第１電極
３０ａ  帯電電極
１００、１００ａ、１００ｂ、１００ｃ、１００ｄ、Ｂ１００  ミスト発生装置
２１０、２１１、２１２、２１３、Ｂ３００  供給部
３００、３００ａ、３００ｂ、３００ｃ、３００ｄ  液滴生成部
３０１、３０１ａ、３０２、３０３  マイクロ流路チップ
３１１、３１１ａ、３１１ｂ  第１液体流路
３２１、３２１ａ、３２１ｂ  第２液体流路
３２２、３２２ａ  混合流路
３３１、３３１ａ、３３１ｂ、３３１ｃ、３３１ｄ  第３液体流路
４００、４０１、４０２  ミスト発生部
６００  吐出口
６１０  吐出液
６２０、６２１  吐出面
６３０  傾斜部
Ｌ  機能液滴
Ｌ１  第１液体
Ｌ２  第２液体
Ｌ３  第３液体
Ｍ、Ｍ１、Ｍ２、ＢＭ、ＢＭ１  多層ミスト
【図１】
2020012954.tif 000003
【図２】
2020012954.tif 000004
【図３】
2020012954.tif 000005
【図４】
2020012954.tif 000006
【図５】
2020012954.tif 000007
【図６】
2020012954.tif 000008
【図７】
2020012954.tif 000009
【図８】
2020012954.tif 000010
【図９】
2020012954.tif 000011
【図１０】
2020012954.tif 000012
【図１１】
2020012954.tif 000013
【図１２】
2020012954.tif 000014
【図１３】
2020012954.tif 000015
【図１４】
2020012954.tif 000016
【図１５】
2020012954.tif 000017
【図１６】
2020012954.tif 000018
【図１７】
2020012954.tif 000019
【図１８】
2020012954.tif 000020
【図１９】
2020012954.tif 000021
【図２０】
2020012954.tif 000022
【図２１】
2020012954.tif 000023
【国際調査報告】
2020012954.tif 000024
2020012954.tif 000025
2020012954.tif 000026
2020012954.tif 000027